(57)【要約】【課題】複数種のアプリケーションプログラムによって作成された複数種のコンテンツ間の関連性をユーザに分かりやすく提示することができる電子機器を実現する。【解決手段】実施形態によれば、電子機器は、ディスプレイと、処理手段とを具備する。前記処理手段は、複数種のアプリケーションプログラムによって作成された複数種のコンテンツを管理し、前記複数種のコンテンツの内、第１期間内に作成された複数種の第１コンテンツを前記ディスプレイの画面上の第１表示領域に時系列順に表示する。【選択図】図１０
2017068406.tif 000002
【特許請求の範囲】
【請求項１】
ディスプレイと、
複数種のアプリケーションプログラムによって作成された複数種のコンテンツを管理し、前記複数種のコンテンツの内、第１期間内に作成された複数種の第１コンテンツを前記ディスプレイの画面上の第１表示領域に時系列順に表示する処理手段とを具備する電子機器。
【請求項２】
前記複数種のアプリケーションプログラムは、第１アプリケーションプログラムと、前記第１アプリケーションプログラムとは異なる一つ以上の第２アプリケーションプログラムとを含み、
前記第１アプリケーションプログラムは、前記一つ以上の第２アプリケーションプログラムによって作成されたコンテンツを前記一つ以上の第２アプリケーションプログラムから取得するように構成され、
前記処理手段は、前記第１アプリケーションプログラムを実行することによって、前記第１期間内に前記第１アプリケーションプログラムによって作成された一つ以上のコンテンツと前記第１期間内に前記一つ以上の第２アプリケーションプログラムによって作成された一つ以上のコンテンツとを前記第１表示領域に時系列順に表示する請求項１記載の電子機器。
【請求項３】
前記処理手段は、
前記複数種のコンテンツの内、前記第１期間の前または後の第２期間内に前記複数種のアプリケーションプログラムによって作成された複数種の第２コンテンツを、前記第１表示領域と並行に延在する前記画面上の第２表示領域に時系列順に表示する請求項１記載の電子機器。
【請求項４】
ユーザ操作によって前記複数種のアプリケーションプログラムの内の一つのアプリケーションプログラムが選択された場合、前記処理手段は、前記複数種の第１コンテンツの内、前記第１期間内に前記選択されたアプリケーションプログラムによって作成された一つ以上のコンテンツを、前記第１表示領域に時系列順に表示する請求項１記載の電子機器。
【請求項５】
前記複数種のコンテンツは、手書きデータを入力可能な第１アプリケーションプログラムによって作成された複数の手書きページと、前記第１アプリケーションプログラムと異なる一つ以上の第２アプリケーションプログラムによって作成された複数のコンテンツとを含む請求項１記載の電子機器。
【請求項６】
前記第１表示領域に表示される前記複数種の第１コンテンツは、前記複数種の第１コンテンツに対応する複数のサムネイル画像であり、
前記処理手段は、
ユーザ操作に基づいて、前記複数種の第１コンテンツの内の第１コンテンツに手書きストロークを書き込んで前記第１コンテンツを編集し、
前記第１コンテンツの編集の後に前記複数種のコンテンツの一覧の表示を要求するユーザ操作が検出された場合、前記複数種の第１コンテンツに対応する複数のサムネイル画像であって、前記手書きストロークが反映された前記第１コンテンツのサムネイル画像を含む複数のサムネイル画像を前記第１表示領域に表示する請求項１記載の電子機器。
【請求項７】
前記処理手段は、
前記複数種のコンテンツの内の一つ以上のコンテンツを各々が含む複数のノートを管理し、
ユーザ操作に基づいて、前記複数種のコンテンツ内の任意のコンテンツを、前記複数のノート内の任意のノート間で移動する請求項１記載の電子機器。
【請求項８】
前記複数種のコンテンツは、手書きデータを入力可能な第１アプリケーションプログラムによって作成された複数の手書きページと、前記第１アプリケーションプログラムと異なる一つ以上の第２アプリケーションプログラムによって作成された複数のコンテンツとを含み、
前記処理手段は、
前記複数の手書きページの内の一つ以上の手書きページを各々が含む一以上の第１ノートと、前記複数のコンテンツを含む別のノートとを管理し、
ユーザ操作に応じて、前記別のノートに含まれるコンテンツを、前記一以上の第１ノート内の任意のノートに移動する請求項１記載の電子機器。
【請求項９】
前記第１表示領域に表示される前記複数種の第１コンテンツは、前記複数種の第１コンテンツに対応する複数のサムネイル画像であり、
前記処理手段は、
前記複数種のコンテンツの内の一つ以上のコンテンツを各々が含む複数のノートであって、少なくとも第１ノートおよび第２ノートを含む複数のノートを管理し、
前記第１ノートおよび第２ノートに異なる色を設定し、
前記複数種の第１コンテンツの内、前記第１ノートに含まれるコンテンツの各々に対応するサムネイル画像を前記第１ノートに対応する色で表示し、前記複数種の第１コンテンツの内、前記第２ノートに含まれるコンテンツの各々に対応するサムネイル画像を前記第２ノートに対応する色で表示する請求項１記載の電子機器。
【請求項１０】
電子機器によって実行される複数種のアプリケーションプログラムによって作成された複数種のコンテンツを管理することと、
前記複数種のコンテンツの内、第１期間内に作成された複数種の第１コンテンツを前記電子機器のディスプレイの画面上の第１表示領域に時系列順に表示することとを具備する方法。
【請求項１１】
前記複数種のアプリケーションプログラムは、第１アプリケーションプログラムと、前記第１アプリケーションプログラムとは異なる一つ以上の第２アプリケーションプログラムとを含み、
前記第１アプリケーションプログラムは、前記一つ以上の第２アプリケーションプログラムによって作成されたコンテンツを前記一つ以上の第２アプリケーションプログラムから取得するように構成され、
前記表示することは、
前記第１アプリケーションプログラムを実行することによって、前記第１期間内に前記第１アプリケーションプログラムによって作成された一つ以上のコンテンツと前記第１期間内に前記一つ以上の第２アプリケーションプログラムによって作成された一つ以上のコンテンツとを前記第１表示領域に時系列順に表示することを含む、請求項１０記載の方法。
【請求項１２】
前記複数種のコンテンツの内、前記第１期間の前または後の第２期間内に前記複数種のアプリケーションプログラムによって作成された複数種の第２コンテンツを、前記第１表示領域と並行に延在する前記画面上の第２表示領域に時系列順に表示することをさらに具備する請求項１０記載の方法。
【請求項１３】
コンピュータによって実行されるプログラムであって、
前記コンピュータによって実行される、前記プログラムを含む複数種のアプリケーションプログラムによって作成された複数種のコンテンツを管理する手順と、
前記複数種のコンテンツの内、第１期間内に作成された複数種の第１コンテンツを前記コンピュータのディスプレイの画面上の第１表示領域に時系列順に表示する手順とを前記コンピュータに実行させるためのプログラム。
【請求項１４】
前記プログラムは第１アプリケーションプログラムを含み、
前記複数種のアプリケーションプログラムは、前記第１アプリケーションプログラムと、前記第１アプリケーションプログラムとは異なる一つ以上の第２アプリケーションプログラムとを含み、
前記第１アプリケーションプログラムは、前記一つ以上の第２アプリケーションプログラムによって作成されたコンテンツを前記一つ以上の第２アプリケーションプログラムから取得するように構成され、
前記表示する手順は、
前記第１アプリケーションプログラムを実行することによって、前記第１期間内に前記第１アプリケーションプログラムによって作成された一つ以上のコンテンツと前記第１期間内に前記一つ以上の第２アプリケーションプログラムによって作成された一つ以上のコンテンツとを前記第１表示領域に時系列順に表示する手順を含む、請求項１３記載のプログラム。
【請求項１５】
前記複数種のコンテンツの内、前記第１期間の前または後の第２期間内に前記複数種のアプリケーションプログラムによって作成された複数種の第２コンテンツを、前記第１表示領域と並行に延在する前記画面上の第２表示領域に時系列順に表示する手順を前記コンピュータにさらに実行させる、請求項１３記載のプログラム。
【発明の詳細な説明】
【技術分野】
【０００１】
本発明の実施形態は、コンテンツを管理する技術に関する。
【背景技術】
【０００２】
近年、パーソナルコンピュータ、タブレット、ＰＤＡ、スマートフォンといった種々の電子機器が開発されている。
【０００３】
また最近では、会議、商談、プレゼンテーションのような様々なビジネスシーンにおいて利用可能な様々な種類のアプリケーションプログラムが開発されている。
【先行技術文献】
【特許文献】
【０００４】
【特許文献１】特開２０１０−０３３１３２号公報
【発明の概要】
【発明が解決しようとする課題】
【０００５】
これらアプリケーションプログラムによって作成されるコンテンツの中には、互いに関連するコンテンツ、例えば、同じ会議に関するコンテンツが存在する場合がある。よって、異なるアプリケーションプログラムのコンテンツ間の関連性をユーザに提示するための新たな機能の実現が必要とされる。
【０００６】
本発明の一形態の目的は、複数種のアプリケーションプログラムによって作成された複数種のコンテンツ間の関連性をユーザに分かりやすく提示することができる電子機器および方法を提供することである。
【課題を解決するための手段】
【０００７】
実施形態によれば、電子機器は、ディスプレイと、処理手段とを具備する。前記処理手段は、複数種のアプリケーションプログラムによって作成された複数種のコンテンツを管理する。前記処理手段は、前記複数種のコンテンツの内、第１期間内に作成された複数種の第１コンテンツを前記ディスプレイの画面上の第１表示領域に時系列順に表示する。
【図面の簡単な説明】
【０００８】
【図１】実施形態に係る電子機器の外観を示す例示的な斜視図。
【図２】図１の電子機器と外部装置との連携動作を示す例示的な図。
【図３】図１の電子機器のタッチスクリーンディスプレイ上に手書きされる手書き文書の例を示す図。
【図４】図１の電子機器によって生成される時系列データを説明するための例示的な図。
【図５】図１の電子機器のシステム構成を示す例示的なブロック図。
【図６】図１の電子機器上で実行される複数種のアプリケーションプログラム間の連携動作を示す例示的な図。
【図７】図１の電子機器によって実行される手書きノートアプリケーションプログラムの機能構成を示す例示的なブロック図。
【図８】図１の電子機器によって表示される編集画面を示す例示的な図。
【図９】図８の編集画面上に表示されるボイスレコーダアプリケーションのデータ（コンテンツ）の例を示す図。
【図１０】図１の電子機器によって表示される全コンテンツ一覧画面の例を示す図。
【図１１】図１０の全コンテンツ一覧画面上に表示される月リストの例を示す図。
【図１２】図１１の月リストを利用して実行される月ジャンプ動作の例を示す図。
【図１３】図１０の全コンテンツ一覧画面上に表示されるノートフィルターの例を示す図。
【図１４】図１０の全コンテンツ一覧画面上に表示されるソートメニューの例を示す図。
【図１５】図１０の全コンテンツ一覧画面上に表示されるメニューの例を示す図。
【図１６】図１０の全コンテンツ一覧画面上に表示される選択ノートリストの例を示す図。
【図１７】ユーザ作成ノートに移動されたコンテンツの色がこのユーザ作成ノートの色に変更される様子を示す図。
【図１８】図１０の全コンテンツ一覧画面上のコンテンツの一つを選択する動作を説明するための図。
【図１９】プレビューモードにおいて図１の電子機器によって表示されるコンテンツの例を示す図。
【図２０】プレビューモードにおいて選択されたコンテンツを手書きによって編集するための編集画面の例を示す図。
【図２１】図２０の編集画面上であるコンテンツが編集された後に図１の電子機器によって表示される全コンテンツ一覧画面の例を示す図。
【図２２】図１の電子機器によって編集画面上に表示される編集ツールバーの例を示す図。
【図２３】追加ノート処理時またノートプロパティ変更処理時に図１の電子機器によって表示されるノートプロパティ設定画面の例を示す図。
【図２４】追加ノート処理後に図１の電子機器によって表示される編集画面の例を示す図。
【図２５】図１の電子機器によって表示される検索画面の例を示す図。
【図２６】図１の電子機器によって表示される検索結果画面の例を示す図。
【図２７】図１の電子機器によって実行される、編集画面／全コンテンツ一覧画面表示処理の手順を示す例示的なフローチャート。
【図２８】図１の電子機器によって実行される全コンテンツ一覧表示処理の手順を示す例示的なフローチャート。
【図２９】図１の電子機器によって実行されるフィルタリング処理の手順を示す例示的なフローチャート。
【図３０】図１の電子機器によって実行される削除／ムーブ処理の手順を示す例示的なフローチャート。
【図３１】図１の電子機器によって実行されるプレビュー／編集処理の手順を示す例示的なフローチャート。
【発明を実施するための形態】
【０００９】
以下、実施の形態について図面を参照して説明する。  
図１は、一実施形態に係る電子機器の外観を示す斜視図である。この電子機器は、例えば、ペン（スタイラス）または指によって手書き入力可能なペン・ベースの携帯型電子機器である。この電子機器は、タブレットコンピュータ、ノートブック型パーソナルコンピュータ、スマートフォン、ＰＤＡ等として実現され得る。以下では、この電子機器がタブレットコンピュータ１０として実現されている場合を想定する。タブレットコンピュータ１０は、タブレットまたはスレートコンピュータとも称される携帯型電子機器である。タブレットコンピュータ１０は、図１に示すように、本体１１とタッチスクリーンディスプレイ１７とを備える。本体１１は、薄い箱形の筐体を有している。本体１１の背面には、カメラ１１１が設けられている。タッチスクリーンディスプレイ１７は、本体１１の表面に重ね合わさるように取り付けられている。
【００１０】
タッチスクリーンディスプレイ１７には、フラットパネルディスプレイと、センサとが組み込まれている。センサは、フラットパネルディスプレイの画面とペンまたは指との接触位置を検出するように構成されている。フラットパネルディスプレイは、例えば、液晶表示装置（ＬＣＤ）であってもよい。センサとしては、例えば、静電容量方式のタッチパネル、電磁誘導方式のデジタイザなどを使用することができる。以下では、限定されないが、タッチパネルがタッチスクリーンディスプレイ１７に組み込まれている場合を想定する。
【００１１】
タッチパネルは、例えば、フラットパネルディスプレイの画面上に配置される。このタッチスクリーンディスプレイ１７は、指を使用した画面に対するタッチ操作のみならず、ペン１００を使用した画面に対するタッチ操作も検出することができる。ペン１００の例は、アクティブペン、パッシブペン、等を含む。以下では、限定されないが、ペン１００としてアクティブペンが使用される場合を想定する。
【００１２】
ユーザは、外部オブジェクト（ペン１００又は指）を使用してタッチスクリーンディスプレイ１７上で手書き入力操作を行うことができる。手書き入力操作中においては、画面上の外部オブジェクト（ペン１００又は指）の動きの軌跡、つまり筆跡がリアルタイムに描画される。外部オブジェクトが画面に接触されている間の外部オブジェクトの動きの軌跡が１ストロークに相当する。手書きされた文字または図形などに対応する多数のストロークの集合が手書き文書を構成する。
【００１３】
本実施形態では、この手書き文書は、イメージデータではなく、各ストロークの軌跡の座標列とストローク間の順序関係とを示す時系列データとして記憶媒体に保存される。この時系列データの詳細は図４を参照して後述するが、この時系列データは、複数のストロークにそれぞれ対応する複数のストロークデータを含む。各ストロークデータは、ある一つのストロークに対応し、このストローク上の点それぞれに対応する座標データ系列（時系列座標）を含む。これらストロークデータの並びの順序は、ストロークそれぞれが手書きされた順序つまり筆順に相当する。
【００１４】
タブレットコンピュータ１０は、記憶媒体から既存の任意の時系列データ（手書き文書情報）を読み出し、この手書き文書情報によって示される筆跡（複数のストローク）を画面上に表示することができる。さらに、タブレットコンピュータ１０は編集機能を有している。この編集機能は、「消しゴム」ツール、「範囲選択」ツール、および他の各種ツール等によって、表示中の手書き文書内の任意のストロークまたは任意の手書き文字等を削除または移動することができる。さらに、この編集機能は、幾つかの手書き操作の履歴を取り消す機能も含んでいる。
【００１５】
さらに、タブレットコンピュータ１０は、自動補完（ストローク推薦）機能も有している。この自動補完機能は、多くの文字列を手書きによって容易に入力できるようにするために、ユーザの手書き入力操作をアシストするための機能である。
【００１６】
図２は、タブレットコンピュータ１０と外部装置との連携動作の例を示している。タブレットコンピュータ１０は、パーソナルコンピュータ１やクラウドと連携することができる。すなわち、タブレットコンピュータ１０は、無線ＬＡＮなどの無線通信デバイスを備えており、パーソナルコンピュータ１との無線通信を実行することができる。さらに、タブレットコンピュータ１０は、インターネット上のサーバ２との通信を実行することもできる。サーバ２はオンラインストレージサービス、他の各種クラウドコンピューティングサービスを実行するサーバであってもよい。
【００１７】
パーソナルコンピュータ１はハードディスクドライブ（ＨＤＤ）のようなストレージデバイスを備えている。タブレットコンピュータ１０は、時系列データ（手書き文書）をネットワーク越しにパーソナルコンピュータ１に送信して、パーソナルコンピュータ１のＨＤＤに記録することができる（アップロード）。
【００１８】
これにより、タブレットコンピュータ１０内のストレージの容量が少ない場合でも、タブレットコンピュータ１０が多数の時系列データ（手書き文書）あるいは大容量の時系列データ（手書き文書）を扱うことが可能となる。
【００１９】
さらに、タブレットコンピュータ１０は、パーソナルコンピュータ１のＨＤＤに記録されている任意の１以上の手書き文書を読み出すことすができる（ダウンロード）。タブレットコンピュータ１０は、この読み出した手書き文書によって示されるストロークそれぞれをタブレットコンピュータ１０のタッチスクリーンディスプレイ１７の画面に表示することができる。
【００２０】
さらに、タブレットコンピュータ１０が通信する先はパーソナルコンピュータ１ではなく、上述したように、ストレージサービスなどを提供するクラウド上のサーバ２であってよい。タブレットコンピュータ１０は、手書き文書をネットワーク越しにサーバ２に送信して、サーバ２のストレージデバイス２Ａに記録することができる（アップロード）。さらに、タブレットコンピュータ１０は、サーバ２のストレージデバイス２Ａに記録されている任意の手書き文書を読み出すことができる（ダウンロード）。タブレットコンピュータ１０は、この読み出した手書き文書によって示されるストロークそれぞれをタブレットコンピュータ１０のタッチスクリーンディスプレイ１７の画面に表示することができる。
【００２１】
このように、本実施形態では、手書き文書が格納される記憶媒体は、タブレットコンピュータ１０内のストレージデバイス、パーソナルコンピュータ１内のストレージデバイス、サーバ２のストレージデバイスのいずれであってもよい。
【００２２】
次に、図３および図４を参照して、ユーザによって手書きされたストローク（文字、マーク、図形（線図）、表など）と手書き文書との関係について説明する。図３は、ペン１００などを使用してタッチスクリーンディスプレイ１７上に手書きされる手書き文字列の例を示している。
【００２３】
手書き文書では、一旦手書きされた文字や図形などの上に、さらに別の文字や図形などが手書きされるというケースが多い。図３においては、「ＡＢＣ」の手書き文字列が「Ａ」、「Ｂ」、「Ｃ」の順番で手書きされ、この後に、手書きの矢印が、手書き文字「Ａ」のすぐ近くに手書きされた場合が想定されている。
【００２４】
手書き文字「Ａ」は、ペン１００などを使用して手書きされる２つのストローク（「∧」形状の軌跡、「−」形状の軌跡）によって表現される。最初に手書きされる「∧」形状のペン１００の軌跡は例えば等時間間隔でリアルタイムにサンプリングされ、これによって「∧」形状のストロークの時系列座標ＳＤ１１、ＳＤ１２、…ＳＤ１ｎが得られる。同様に、次に手書きされる「−」形状のペン１００の軌跡も等時間間隔でリアルタイムにサンプリングされ、これによって「−」形状のストロークの時系列座標ＳＤ２１、ＳＤ２２、…ＳＤ２ｎが得られる。
【００２５】
手書き文字「Ｂ」は、ペン１００などを使用して手書きされた２つのストローク、つまり２つの軌跡によって表現される。手書き文字「Ｃ」は、ペン１００などを使用して手書きされた１つのストローク、つまり１つの軌跡によって表現される。手書きの「矢印」は、ペン１００などを使用して手書きされた２つのストローク、つまり２つの軌跡によって表現される。
【００２６】
図４は、図３の手書き文字列に対応する時系列データ２００を示している。時系列データ２００は、複数のストロークデータＳＤ１、ＳＤ２、…、ＳＤ７を含む。時系列データ２００内においては、これらストロークデータＳＤ１、ＳＤ２、…、ＳＤ７は、筆跡順に、つまり複数のストロークが手書きされた順に時系列に並べられている。
【００２７】
時系列データ２００において、先頭の２つのストロークデータＳＤ１、ＳＤ２は、手書き文字「Ａ」の２つのストロークをそれぞれ示している。３番目と４番目のストロークデータＳＤ３、ＳＤ４は、手書き文字「Ｂ」を構成する２つのストロークをそれぞれ示している。５番目のストロークデータＳＤ５は、手書き文字「Ｃ」を構成する１つのストロークを示している。６番目と７番目のストロークデータＳＤ６、ＳＤ７は、手書き「矢印」を構成する２つのストロークをそれぞれ示している。
【００２８】
各ストロークデータは、一つのストロークの軌跡上の複数の点それぞれに対応する複数の座標を含む。各ストロークデータにおいては、複数の座標はストロークが書かれた順に時系列に並べられている。例えば、手書き文字「Ａ」に関しては、ストロークデータＳＤ１は、手書き文字「Ａ」の「∧」形状のストロークの軌跡上の点それぞれに対応する座標データ系列（時系列座標）、つまりｎ個の座標データＳＤ１１、ＳＤ１２、…ＳＤ１ｎを含む。ストロークデータＳＤ２は、手書き文字「Ａ」の「−」形状のストロークの軌跡上の点それぞれに対応する座標データ系列、つまりｎ個の座標データＳＤ２１、ＳＤ２２、…ＳＤ２ｎを含む。なお、座標データの数はストロークデータ毎に異なっていてもよい。
【００２９】
各座標データは、対応する軌跡内のある１点に対応するＸ座標およびＹ座標を示す。例えば、座標データＳＤ１１は、「∧」形状のストロークの始点のＸ座標（Ｘ１１）およびＹ座標（Ｙ１１）を示す。ＳＤ１ｎは、「∧」形状のストロークの終点のＸ座標（Ｘ１ｎ）およびＹ座標（Ｙ１ｎ）を示す。
【００３０】
さらに、各座標データは、その座標に対応する点が手書きされた時点に対応するタイムスタンプ情報Ｔを含んでいてもよい。手書きされた時点は、絶対時間（例えば、年月日時分秒）またはある時点を基準とした相対時間のいずれであってもよい。例えば、各ストロークデータに、ストロークが書き始められた絶対時間（例えば、年月日時分秒）をタイムスタンプ情報として付加し、さらに、ストロークデータ内の各座標データに、絶対時間との差分を示す相対時間をタイムスタンプ情報Ｔとして付加してもよい。
【００３１】
さらに、各座標データには、筆圧を示す情報（Ｚ）を追加してもよい。
【００３２】
図５は、タブレットコンピュータ１０のシステム構成を示す。  
タブレットコンピュータ１０は、図５に示されるように、ＣＰＵ１０１、システムコントローラ１０２、主メモリ１０３、グラフィクスコントローラ１０４、ＢＩＯＳ−ＲＯＭ１０５、不揮発性メモリ１０６、無線通信デバイス１０７、エンベデッドコントローラ（ＥＣ）１０８、二つのマイクロフォン１１０Ｌ，１１０Ｒ、カメラ１１１等を備える。
【００３３】
ＣＰＵ１０１は、タブレットコンピュータ１０のコンポーネントの動作を制御するプロセッサである。プロセッサは処理回路を含む。ＣＰＵ１０１は、ストレージデバイスである不揮発性メモリ１０６から主メモリ１０３にロードされる各種コンピュータプログラムを実行する。これらプログラムには、オペレーティングシステム（ＯＳ）２０１、および様々なアプリケーションプログラムが含まれている。アプリケーションプログラムには、手書きノートアプリケーションプログラム２０２、キャプチャアプリケーションプログラム２０３、ボイスレコーダアプリケーションプログラム２０４、クリッパーアプリケーションプログラム２０５、コラボレーションアプリケーションプログラム２０６等が含まれている。
【００３４】
手書きノートアプリケーションプログラム２０２は、メモをとることが可能なデジタルノートブックアプリケーションである。この手書きノートアプリケーションプログラム２０２は、上述の手書き文書を作成および表示する機能、手書き文書を編集する機能、および自動補完機能等を有している。さらに、手書きノートアプリケーションプログラム２０２は、他の種類のアプリケーションプログラムと連携するための機能を有している。この連携機能により、手書きノートアプリケーションプログラム２０２は、他の種類のアプリケーションプログラムによって作成されたデータ（コンテンツ）を他の種類のアプリケーションプログラムから取得することができる。他の種類の各アプリケーションプログラムは、作成されたデータを自身で管理すると共に、例えば、その作成されたデータの複製を、手書きノートアプリケーションプログラム２０２に提供してもよい。
【００３５】
手書きノートアプリケーションプログラム２０２と連携するアプリケーションプログラムの例には、上述のキャプチャアプリケーションプログラム２０３、ボイスレコーダアプリケーションプログラム２０４、クリッパーアプリケーションプログラム２０５、コラボレーションアプリケーションプログラム２０６が含まれてもよい。
【００３６】
これらキャプチャアプリケーションプログラム２０３、ボイスレコーダアプリケーションプログラム２０４、クリッパーアプリケーションプログラム２０５、コラボレーションアプリケーションプログラム２０６は、手書きノートアプリケーションプログラム２０２と同様に、様々なビジネスシーンで日常的に利用することが可能なアプリケーションプログラムである。
【００３７】
キャプチャアプリケーションプログラム２０３は、カメラ１１１によって被写体の画像をキャプチャするように構成されたアプリケーションプログラムである。キャプチャアプリケーションプログラム２０３は、例えば、ホワイトボード、紙資料、本、ノート、名刺などに対応する様々な文書画像を取り込むことができる。さらに、キャプチャアプリケーションプログラム２０３は、取り込んだ文書画像内の被写体の形状を補正する機能を有している。
【００３８】
ボイスレコーダアプリケーションプログラム２０４は、音声を録音するように構成されたアプリケーションプログラムであり、会議の録音、プレゼンテーションの録音のような、様々なシーンの録音を行うことができる。ボイスレコーダアプリケーションプログラム２０４は、話者クラスタリング機能をサポートする。話者クラスタリング機能は、録音データ内の発話区間それぞれを複数の話者に対応する複数のクラスタに分類することができる。ボイスレコーダアプリケーションプログラム２０４は、話者クラスタリングの結果を使用することによって、発話区間それぞれを話者別に表示することができる。この可視化機能により、何時、どの話者が発話したかをユーザに分かりやすく提示することができる。さらに、ボイスレコーダアプリケーションプログラム２０４は、話者の数、各話者の総発話時間、録音データの時間長等に基づいて、この録音データの種別を判定することができる。録音データの種別には、一人の話者による発話を含み総時間長が短いボイスメモ、複数の話者による発話を含み総時間長が長い会議録音、等が含まれてもよい。
【００３９】
クリッパーアプリケーションプログラム２０５は、タブレットコンピュータ１０のＬＣＤ１７Ａに表示される様々な画面イメージをクリップデータとして取り込むためのアプリケーションプログラムである。クリッパーアプリケーションプログラム２０５は、クリップデータ上にストロークを手書きするための手書き機能を有していてもよい。
【００４０】
コラボレーションアプリケーションプログラム２０６は、手書きコラボレーション機能をサポートする。この手書きコラボレーション機能は、同一のグループに参加している複数のデバイスのいずれかにおいて手書き入力されるストロークデータを、このグループ内の他のデバイスにそれぞれリアルタイムに配信する。これによって、これらデバイスの画面に表示される手書き文書の内容を同期させることができる。
【００４１】
また、ＣＰＵ１０１は、ＢＩＯＳ−ＲＯＭ１０５に格納された基本入出力システム（ＢＩＯＳ）も実行する。ＢＩＯＳは、ハードウェア制御のためのプログラムである。
【００４２】
システムコントローラ１０２は、ＣＰＵ１０１のローカルバスと各種コンポーネントとの間を接続するデバイスである。システムコントローラ１０２には、主メモリ１０３をアクセス制御するメモリコントローラも内蔵されている。また、システムコントローラ１０２は、ＰＣＩ  ＥＸＰＲＥＳＳ規格のシリアルバスなどを介してグラフィクスコントローラ１０４との通信を実行する機能も有している。
【００４３】
グラフィクスコントローラ１０４は、タブレットコンピュータ１０のディスプレイモニタとして使用されるＬＣＤ１７Ａを制御する表示コントローラである。表示コントローラは表示制御回路を含む。このグラフィクスコントローラ１０４によって生成される表示信号はＬＣＤ１７Ａに送られる。ＬＣＤ１７Ａは、表示信号に基づいて画面イメージを表示する。このＬＣＤ１７Ａ上にはタッチパネル１７Ｂが配置されている。
【００４４】
無線通信デバイス１０７は、無線ＬＡＮまたは３Ｇ移動通信などの無線通信を実行するように構成されたデバイスである。ＥＣ１０８は、電力管理のためのエンベデッドコントローラを含むワンチップマイクロコンピュータである。ＥＣ１０８は、ユーザによるパワーボタンの操作に応じてタブレットコンピュータ１０を電源オンまたは電源オフする機能を有している。
【００４５】
タブレットコンピュータ１０は、入力デバイス１０９（マウス、キーボード等）と通信するため周辺インタフェースを備えていてもよい。
【００４６】
＜手書きノートアプリケーションプログラム２０２の特徴＞
以下、手書きノートアプリケーションプログラム２０２の幾つかの特徴について説明する。
【００４７】
＜筆跡検索機能＞
手書きノートアプリケーションプログラム２０２は、筆跡（ストローク）検索によって所望の筆跡（手書き文字、手書き図形、手書き表、等）を含む所望のページを検索することができる。この機能は、認識技術に基づいている。
【００４８】
ユーザが筆跡（１以上のストローク）を検索キーとして手書き入力した時、所望のページを検索するために２つの方法が使用できる。一方は筆跡特徴（ストローク特徴）のパターンマッチングであり、他方は文字認識をベースとした文字マッチングである。手書きノートアプリケーションプログラム２０２は、入力された筆跡（１以上のストローク）に基づいて、使用すべきアルゴリズムをこれら２つの方法の間で自動的に変更する。たとえば、入力された筆跡（１以上のストローク）の文字列尤度が高い場合、つまり入力された筆跡が文字列である可能性が高い場合には、文字マッチングが使用される。一方、入力された筆跡（１以上のストローク）の文字列尤度が低い場合、つまり入力された筆跡が図形、表、マークである可能性が高い場合には、ストローク特徴のパターンマッチングが使用される。
【００４９】
ストローク特徴のパターンマッチングにおいては、検索キーとして入力された筆跡に類似する特徴を有する筆跡が探される。たとえば、検索キーとして入力された筆跡の形状に類似する形状を有する筆跡が探される。これにより、手書きによって入力されたストロークを含む多数のページ（手書きページ）の中から、ある手書きマーク（星マークなど）を含むページ（手書きページ）を容易に探すことができる。
【００５０】
文字認識をベースとした文字マッチングでは、検索キーとして入力された筆跡は、文字認識によってテキスト（文字列）に変換される。そして、このテキスト（文字列）と同じ文字列を含むページが探される。
【００５１】
＜認識・整形機能＞
手書きノートアプリケーションプログラム２０２は、選択された手書きオブジェクト（例えば、手書き文字、手書き図形、手書きの表）をフォーマットされたオブジェクトに変換する。フォーマットされたオブジェクトは、他のアプリケーションプログラムが扱うことが可能なデータフォーマットを有するオブジェクトである。手書きノートアプリケーションプログラム２０２は、選択されたオブジェクトをフォーマットされたオブジェクトに変換し、このフォーマットされたオブジェクトをクリップボードにコピー（格納）する。ペースト対象アプリケーションは、プレゼンテーションアプリケーション、ワードプロセッシングアプリケーションである。選択されたオブジェクトをフォーマットされたオブジェクトに変換する処理は、文字認識、図形認識、表認識を使用して実行される。文字認識は、手書き文字列に対応するストロークを、認識されたテキストに変換する。図形認識は、手書きされた図形に対応するストロークをフォーマットされた図形オブジェクトに変換する。表認識は、手書きされた表に対応するストロークをフォーマットされた表オブジェクトに変換する。
【００５２】
＜自動補完機能＞
手書きノートアプリケーションプログラム２０２は、自動補完機能を有する。自動補完機能は、ユーザによって手書き入力されたストローク（仮ストローク）から定められる入力の候補である１以上の筆跡（１以上の筆跡候補）をディスプレイに表示する。自動補完機能は、１以上の候補筆跡のいずれかがユーザによって選択される場合、仮ストロークの代わりに、この選択された候補筆跡をページに入力することができる。
【００５３】
たとえば、ユーザによって文字「ａ」に対応する仮ストロークが入力された時、文字列「ａｐｐｌｅ」に対応する筆跡、文字列「ａｐｐｌｉｃａｔｉｏｎ」に対応する筆跡、文字列「ａｐｒｏｂａｌ」に対応する筆跡等を含む候補筆跡メニューがディスプレイに表示されてもよい。ユーザが候補筆跡メニュー上のある１つの候補筆跡を選択した時、手書きノートアプリケーションプログラム２０２は、この候補筆跡を、仮ストロークに代えて、入力する。つまり、ユーザによって入力された仮ストロークは、この選択された候補筆跡を使用して補完される。
【００５４】
自動補完機能では、筆跡候補は、ユーザによって過去に入力された手書き文書から抽出される。このことは、ユーザが、ユーザが過去に入力した手書き文書を再利用できることを意味する。
【００５５】
＜全コンテンツ一覧表示機能＞
手書きノートアプリケーションプログラム２０２は、自身によって作成された手書きページのみならず、他のアプリケーションプログラム（例えば、キャプチャアプリケーションプログラム２０３、ボイスレコーダアプリケーションプログラム２０４、クリッパーアプリケーションプログラム２０５、コラボレーションアプリケーションプログラム２０６）のコンテンツも、手書きページと同様に管理することができる。手書きページおよび他のアプリケーションプログラムのコンテンツのどちらも、データ（データファイル）として管理される。
【００５６】
手書きノートアプリケーションプログラム２０２は、複数種のアプリケーションプログラムによって作成された複数種のコンテンツの一覧、つまり、手書きページと他のアプリケーションプログラムのコンテンツとを含む全てのコンテンツ（全てのデータファイル）の一覧を全コンテンツ一覧表示画面上に表示する。全コンテンツ一覧表示画面は、手書きノートアプリケーションプログラム２０２のコンテンツを表示するための画面であり、手書きノートアプリケーションプログラム２０２によって表示される。
【００５７】
会議においては、手書きによってメモを取りながら、会議の音声を録音したり、紙資料またはホワイトボードの画像をキャプチャする場合がある。この場合、これら音声データおよび画像データの作成日時と手書きページの作成日時（または更新日時）とは、ある一定期間内に属する可能性がある。
【００５８】
したがって、手書きノートアプリケーションプログラム２０２は、複数種のコンテンツの内、ある一定期間内に作成された複数種のコンテンツ（複数種の第１コンテンツ）のみを全コンテンツ一覧表示画面上のある一つの表示領域に時系列順に表示する。これにより、例えば、ある手書きページと、この手書きページとほぼ同時期に作成された他のアプリケーションのコンテンツとが、この全コンテンツ一覧表示画面上の互いに近接した場所に表示される。これにより、手書きページと他のアプリケーションプログラムのコンテンツとの間の関連性をユーザに提示することができる。
【００５９】
全コンテンツ一覧表示機能は手書きノートアプリケーションプログラム２０２によって実行される機能であるので、ユーザは、手書きノートアプリケーションプログラム２０２を起動するだけで、手書きノートアプリケーションプログラム２０２を含む複数種のアプリケーションプログラムによって作成された複数種のコンテンツの一覧を閲覧することができる。
【００６０】
図６は、複数種のアプリケーションプログラム間の連携動作を示す。
【００６１】
手書きノートアプリケーションプログラム２０２は、キャプチャアプリケーションプログラム２０３、ボイスレコーダアプリケーションプログラム２０４のような他のアプリケーションプログの各々からデータ（コンテンツ）を受信することができる。
【００６２】
キャプチャアプリケーションプログラム２０３は、キャプチャアプリケーションプログラム２０３によって作成されたデータ（例えば画像データファィルのようなコンテンツ）を記憶媒体４０２内のキャプチャアプリケーションフォルダ２１１に保存すると共に、そのデータ（コンテンツ）の複製を、手書きノートアプリケーションプログラム２０２に提供しても良い。この場合、キャプチャアプリケーションプログラム２０３は、データ（コンテンツ）の複製を、手書きノートアプリケーションプログラム２０２に直接的に送信してもよいし、上述の複数種のアプリケーションプログラムによって共有されるフォルダ（キャッシュフォルダ２１２）にデータ（コンテンツ）の複製を保存してもよい。
【００６３】
同様に、ボイスレコーダアプリケーションプログラム２０４も、ボイスレコーダアプリケーションプログラム２０４によって作成されたデータ（例えば音声データファイルのようなコンテンツ）を記憶媒体４０２内のボイスレコーダアプリケーションフォルダ２１３に保存すると共に、そのデータ（コンテンツ）の複製を、手書きノートアプリケーションプログラム２０２に提供しても良い。通常、音声データファイルのサイズは非常に大きい。したがって、ボイスレコーダアプリケーションプログラム２０４は、音声データの複製そのものではなく、音声データのメタデータのみを手書きノートアプリケーションプログラム２０２に提供しても良い。この場合、ボイスレコーダアプリケーションプログラム２０４は、音声データのメタデータを、手書きノートアプリケーションプログラム２０２に直接的に送信してもよいし、キャッシュフォルダ２１２にメタデータを保存してもよい。
【００６４】
キャッシュフォルダ２１２は、例えば、手書きノートアプリケーションプログラム２０２のインストール時に作成されてもよい。キャッシュフォルダ２１２が作成された後、キャプチャアプリケーションプログラム２０３、ボイスレコーダアプリケーションプログラム２０４の各々は、キャプチャアプリケーションプログラム２０３、ボイスレコーダアプリケーションプログラム２０４の各々によって作成されたコンテンツを自身のフォルダに保存する度に、そのコンテンツの複製をキャッシュフォルダ２１２に保存してもよい。
【００６５】
手書きノートアプリケーションプログラム２０２の初回の起動時に、手書きノートアプリケーションプログラム２０２は、手書きノートアプリケーションプログラム２０２が利用可能状態になったことをキャプチャアプリケーションプログラム２０３、ボイスレコーダアプリケーションプログラム２０４のような他の幾つかのアプリケーションプログラムにそれぞれ通知するための幾つかのデータ（ファイル）をキャッシュフォルダ２１２内に登録してもよい。
【００６６】
キャプチャアプリケーションプログラム２０３、ボイスレコーダアプリケーションプログラム２０４の各々は、その起動時に、キャッシュフォルダ２１２を参照することによって手書きノートアプリケーションプログラム２０２が利用可能状態になったか否かを判定してもよい。手書きノートアプリケーションプログラム２０２が利用可能状態になったことが判定された場合には、キャプチャアプリケーションプログラム２０３、ボイスレコーダアプリケーションプログラム２０４の各々は、作成済みの既存のデータ（コンテンツ）を手書きノートアプリケーションプログラム２０２と共有するか否かをユーザに問い合わせてもよい。作成済みの既存のデータの共有がユーザによって許可された場合には、キャプチャアプリケーションプログラム２０３、ボイスレコーダアプリケーションプログラム２０４の各々は、作成済みの既存のデータの複製をキャッシュフォルダ２１２に保存してもよい。
【００６７】
手書きノートアプリケーションプログラム２０２は、記憶媒体４０２内の手書きノートアプリケーションフォルダ２１４に手書きページそれぞれを保存する。これら手書きページは、ユーザによって作成されたノート（Ｕｓｅｒ  Ｃｒｅａｔｅｄ  Ｎｏｔｅ１、Ｕｓｅｒ  Ｃｒｅａｔｅｄ  Ｎｏｔｅ２）２１５、２１６に関連づけられた状態で、または予め作成されているノート（Ｕｎｃｌａｓｓｉｆｉｅｄ  Ｎｏｔｅ）２１７に関連づけられた状態で保存される。
【００６８】
手書きノートアプリケーションプログラム２０２が起動された時または手書きノートアプリケーションプログラム２０２がフォーカスされた時、手書きノートアプリケーションプログラム２０２は、キャッシュフォルダ２１２からデータ（コンテンツ）を取得し、取得したデータ（コンテンツ）をＵｎｃｌａｓｓｉｆｉｅｄ  Ｎｏｔｅ２１７内のコンテンツとして手書きノートアプリケーションフォルダ２１４内に保存する。
【００６９】
次に、図７を参照して、手書きノートアプリケーションプログラム２０２の構成について説明する。
【００７０】
手書きノートアプリケーションプログラム２０２は、ペン軌跡表示処理部３０１、時系列データ生成部３０２、編集処理部３０３、ページ保存処理部３０４、ページ取得処理部３０５、手書き文書表示処理部３０６、および処理部３０８等を備える。
【００７１】
手書きノートアプリケーションプログラム２０２は、タッチスクリーンディスプレイ１７を用いて入力されるストロークデータを使用することによって、手書き文書（手書きデータ）の作成、表示、編集等を行う。タッチスクリーンディスプレイ１７は、「タッチ」、「移動（スライド）」、「リリース」等のイベントの発生を検出するように構成されている。「タッチ」は、画面上に外部オブジェクトが接触したことを示すイベントである。「移動（スライド）」は、画面上に外部オブジェクトが接触されている間に接触位置が移動されたことを示すイベントである。「リリース」は、画面から外部オブジェクトが離されたことを示すイベントである。
【００７２】
ペン軌跡表示処理部３０１および時系列データ生成部３０２は、タッチスクリーンディスプレイ１７によって発生される「タッチ」または「移動（スライド）」のイベントを受信し、これによって手書き入力操作を検出する。「タッチ」イベントには、接触位置の座標が含まれている。「移動（スライド）」イベントにも、移動先の接触位置の座標が含まれている。したがって、ペン軌跡表示処理部３０１および時系列データ生成部３０２は、タッチスクリーンディスプレイ１７から、接触位置の動きの軌跡に対応する座標列を受信することができる。
【００７３】
ペン軌跡表示処理部３０１は、手書きによって入力される筆跡（１以上のストローク）をタッチスクリーンディスプレイ１７の画面上に表示するように構成された表示処理部として機能する。ペン軌跡表示処理部３０１は、タッチスクリーンディスプレイ１７から座標列を受信する。そして、この座標列に基づいて、ペン軌跡表示処理部３０１は、ペン１００等を使用した手書き入力操作によって入力される複数のストロークをタッチスクリーンディスプレイ１７内のＬＣＤ１７Ａの画面上に表示する。ペン軌跡表示処理部３０１は、処理部３０８の制御の下、ユーザインタフェース（ＵＩ）の表示に関する様々な表示制御を実行することができる。
【００７４】
時系列データ生成部３０２は、タッチスクリーンディスプレイ１７から出力される上述の座標列を受信する。この座標列に基づいて、時系列データ生成部３０２は、上述の複数のストロークに対応する複数のストロークデータ（時系列データ）を生成する。これらストロークデータ、つまり各ストロークの各点に対応する座標および各ストロークのタイムスタンプ情報は作業メモリ４０１に一時保存してもよい。
【００７５】
ページ保存処理部３０４は、複数のストロークに対応する複数のストロークデータを含む手書き文書情報（ページ）を記憶媒体４０２に保存する。記憶媒体４０２は、上述したように、タブレットコンピュータ１０内のストレージデバイス、パーソナルコンピュータ１内のストレージデバイス、サーバ２のストレージデバイスのいずれであってもよい。
【００７６】
ページ取得処理部３０５は、記憶媒体４０２から任意の手書き文書情報（ページ）を読み出す。読み出された手書き文書情報は手書き文書表示処理部３０６に送られる。手書き文書表示処理部３０６は、手書き文書情報を解析し、この解析結果に基づいて、手書き文書情報内の複数のストロークデータによって示される複数のストロークを画面上に表示する。
【００７７】
編集処理部３０３は現在表示中のページを編集するための処理を実行する。すなわち、編集処理部３０３は、タッチスクリーンディスプレイ１７上でユーザによって行われる編集操作に応じて、表示されている複数のストローク内の１以上のストロークを削除または移動等するための編集処理を実行する。さらに、編集処理部３０３は、編集処理の結果を表示中の手書き文書に反映するためにこの手書き文書を更新する。
【００７８】
ユーザは、「消しゴム」ツール等を使用して、表示されている複数のストローク内の任意のストロークを削除することができる。また、ユーザは、画面上の任意の部分を矩形または自由枠によって囲むための「範囲選択」ツールを使用して、表示されている手書きページ内の任意の部分を選択することができる。
【００７９】
処理部３０８は、上述の自動補完、検索、全コンテンツ一覧表示等の様々な処理を実行することができる。処理部３０８は、コンテンツ管理部３０８Ａ、全コンテンツ表示処理部３０８Ｂ、コンテンツ移動処理部３０８Ｃ、ノートカラー管理部３０８Ｄ、等を含む。
【００８０】
コンテンツ管理部３０８Ａは、多数のページ（手書きページ）を管理すると共に、他のアプリケーションのコンテンツもページの管理と同様のレベルで管理する。コンテンツ管理部３０８Ａは、キャッシュフォルダ２１２からコンテンツを取得し、その取得したコンテンツをＵｎｃｌａｓｓｉｆｉｅｄ  Ｎｏｔｅ２１７内のコンテンツとして手書きノートアプリケーションフォルダ２１４内に保存する。
【００８１】
全コンテンツ表示処理部３０８Ｂは、手書きページと他のアプリケーションのコンテンツとを含む全種類のコンテンツの内、ある一定の期間（第１期間）内に作成された複数種のコンテンツを全コンテンツ一覧表示画面上の特定の表示領域に時系列順に表示する。ある一定の期間（第１期間）内に作成された複数種のコンテンツとは、この一定の期間（第１期間）内に属する作成日時（または更新日時）を有するコンテンツの集合を意味する。また、コンテンツを時系列順に表示するとは、作成日時（または更新日時）順にコンテンツが並べられる形態でこれらコンテンツを表示することを意味する。
【００８２】
コンテンツ移動処理部３０８Ｃは、ユーザの操作に応じて、ページまたは他のアプリケーションのコンテンツを、ノート（Ｕｓｅｒ  Ｃｒｅａｔｅｄ  Ｎｏｔｅ２１５、２１６、Ｕｎｃｌａｓｓｉｆｉｅｄ  Ｎｏｔｅ２１７）間で移動する。ノートカラー管理部３０８Ｄは、ノート（Ｕｓｅｒ  Ｃｒｅａｔｅｄ  Ｎｏｔｅ２１５、２１６、Ｕｎｃｌａｓｓｉｆｉｅｄ  Ｎｏｔｅ２１７）それぞれに色（テーマカラー）を設定する。全コンテンツ一覧表示画面においては、各ページまたはコンテンツは、それが属するノートの色で表示される。
【００８３】
次に、手書きノートアプリケーションプログラム２０２によって提供される幾つかのユーザインタフェースについて説明する。
【００８４】
図８は、編集画面を示す。
【００８５】
処理部３０８は、図８に示される編集画面を表示する。編集画面は、４つのエリア、つまりノートブックリスト５０１、ページリスト５０２、編集ツールバー５０３、および編集ビューエリア５０４を含むユーザインタフェース（ＵＩ）である。これらエリア５０１〜５０４は、タブレットコンピュータ１０の画面の左端から右端に向かって並んでいる。ユーザは、ペン、指、マウス、またはキーボードを使用してユーザインタフェース（ＵＩ）を操作することができる。以下では、限定されないが、ペンまたは指を使用した指ジェスチャ（タップ、スワイプ、等）によってＵＩが操作される場合を主として説明する。
【００８６】
ノートブックリスト５０１は、手書きノートアプリケーションプログラム２０２によって管理されているノート（ノートブック）のリストを示す。ノートブックリスト５０１の上端近傍の「Ａｄｄ  Ｎｏｔｅ」アイコン５０５、「Ａｌｌ」アイコン５０６はコマンドアイコンである。「Ａｄｄ  Ｎｏｔｅ」アイコン５０５がユーザよってタップされると、処理部３０８は、新たなノートを追加するための処理を実行する。「Ａｌｌ」アイコン５０６がユーザよってタップされると、処理部３０８は、全てのノート内の全てのコンテンツ（全てのページおよび他のアプリケーションの全てのコンテンツ）に対応するサムネイル画像のリストを全コンテンツ一覧表示画面に表示するための処理を実行する。
【００８７】
「Ｕｎｃｌａｓｓｉｆｉｅｄ  ｐａｇｅｓ」アイコン５０７は、他のアプリケーションのコンテンツ群が登録されるノート（「Ｕｎｃｌａｓｓｉｆｉｅｄ  ｐａｇｅｓ」ノート）を示すノートアイコンである。どのユーザ作成ノートにも属さない手書きページ群も「Ｕｎｃｌａｓｓｉｆｉｅｄ  ｐａｇｅｓ」ノートに登録されてもよい。
【００８８】
「Ｕｓｅｒ  Ｃｒｅａｔｅｄ  Ｎｏｔｅ」アイコン群５０８は、ユーザによって作成されたノートのリストを示す。図８においては、「Ｕｓｅｒ  Ｃｒｅａｔｅｄ  Ｎｏｔｅ」アイコン群５０８は、「Ｒｅｓｅａｒｃｈ」アイコン、「ｉｄｅａｓ」アイコン、「ｐｒｅｓｅｎｔａｔｉｏｎ」アイコン、「Ｍｉｎｕｔｅｓ」アイコン、「ＴｏＤｏ」アイコンを含む。
【００８９】
「Ｒｅｓｅａｒｃｈ」アイコンは、ユーザのノート（タイトル名「Ｒｅｓｅａｒｃｈ」）を示すノートアイコンである。「ｉｄｅａｓ」アイコンは、ユーザのノート（タイトル名「ｉｄｅａｓ」）を示すノートアイコンである。「ｐｒｅｓｅｎｔａｔｉｏｎ」アイコンは、ユーザのノート（タイトル名「ｐｒｅｓｅｎｔａｔｉｏｎ」）を示すノートアイコンである。「Ｍｉｎｕｔｅｓ」アイコンは、ユーザのノート（タイトル名「Ｍｉｎｕｔｅｓ」）を示すノートアイコンである。「ＴｏＤｏ」アイコンは、ユーザのノート（タイトル名「ＴｏＤｏ」）を示すノートアイコンである。
【００９０】
これらノートアイコンはドラッグ&ドロップ操作によって再配置することができる。
【００９１】
「Ｕｎｃｌａｓｓｉｆｉｅｄ  ｐａｇｅｓ」アイコン５０７は、「Ｕｎｃｌａｓｓｉｆｉｅｄ  ｐａｇｅｓ」ノートに含まれるコンテンツの数を示す数字を表示する。この数字は、「Ｕｎｃｌａｓｓｉｆｉｅｄ  ｐａｇｅｓ」ノートに登録された新たなコンテンツの数（他のアプリケーションから取得された新たなコンテンツの数）を表してもよい。ユーザが「Ｕｎｃｌａｓｓｉｆｉｅｄ  ｐａｇｅｓ」ノート内のコンテンツを閲覧するために「Ｕｎｃｌａｓｓｉｆｉｅｄ  ｐａｇｅｓ」アイコン５０７を選択した時、この数字の値は、「Ｕｎｃｌａｓｓｉｆｉｅｄ  ｐａｇｅｓ」ノートに含まれる全コンテンツの数を表す値に変更されてもよい。「Ｕｎｃｌａｓｓｉｆｉｅｄ  ｐａｇｅｓ」ノート内のコンテンツの閲覧が完了した後は、この数字の値は、「Ｕｎｃｌａｓｓｉｆｉｅｄ  ｐａｇｅｓ」ノートの直前の閲覧の後に「Ｕｎｃｌａｓｓｉｆｉｅｄ  ｐａｇｅｓ」ノートに登録された新たなコンテンツの数を表してもよい。
【００９２】
「Ｕｓｅｒ  Ｃｒｅａｔｅｄ  Ｎｏｔｅ」アイコン群５０８の各々は、対応するノートに含まれるコンテンツ（手書きページ）の数を示す数字を表示する。
【００９３】
ページリスト５０２は、現在選択されているノートアイコンに対応するノート内に含まれるページ（他のアプリケーションのコンテンツも含む）に対応するサムネイルのリストを示す。
【００９４】
ページリスト５０２内の最も上の「Ａｄｄ  Ｐａｇｅ」アイコン５０９は、コマンドアイコンである。「Ａｄｄ  Ｐａｇｅ」アイコン５０９がユーザよってタップされると、処理部３０８は、編集中のページに新たなページを追加するための処理を実行する。
【００９５】
「Ａｄｄ  Ｐａｇｅ」アイコン５０９の下側には、複数のページに対応するサムネイルをそれぞれ示す複数のページアイコン５３１〜５３４が配置されている。選択されたページアイコンに対応するページ（または他のアプリケーションのコンテンツ）は、編集ビューエリア５０４に表示される。ユーザは、ページリスト５０２内の任意のページアイコンを選択することによって、任意のページ（または他のアプリケーションの任意のコンテンツ）を編集ビューエリア５０４に表示することができる。
【００９６】
編集ツールバー５０３は、ページ（または他のアプリケーションのコンテンツ）を編集するための幾つかのボタンを含む。「エディット全画面」ボタン５１１は、編集ビューエリア５０４を全画面モードで表示するためのボタンである。「エディット全画面」ボタン５１１がタップされた時、ノートブックリスト５０１とページリスト５０２とが画面から消え、編集ビューエリア５０４が拡大されると共に、編集ツールバー５０３が画面の左端に移動される。「選択ペン（範囲選択）」ボタン５１２は、「範囲選択」ツールとして使用される。ユーザは、この「選択ペン」によって編集ビューエリア５０４上の１以上のオブジェクトを選択することができる。「選択ペン」ボタン５１２がユーザによってタップされた時、処理部３０８は、選択タイプ（矩形／自由枠／全選択）を変更するためのメニューを表示する。
【００９７】
「貼り付け」ボタン５１３は、クリップボードに格納されたオブジェクトを編集中のページにペーストするためのボタンである。「消しゴムペン」ボタン５１４は、「消しゴム」ツールとして使用される。ユーザは、この「消しゴムペン」によって編集ビューエリア５０４上の１以上のストロークを消すことができる。「消しゴムペン」ボタン５１４がユーザによってタップされた時、処理部３０８は、消しゴムサイズ（大／小／ページ全体）を変更するためのメニューを表示する。
【００９８】
「ストローク入力ペン」ボタン５１５は、ストロークを描画するために使用される。ユーザは、「ストローク入力ペン」によって筆跡（ストローク）を編集ビューエリア５０４に描画することができる。「ストローク入力ペン」ボタン５１５がユーザによってタップされた時、処理部３０８は、幾つかのプリセットペンを示すメニューを表示する。これらプリセットペンの各々は、例えば、ペンタイプ（万年筆／鉛筆／ボールペン／鉛筆／マーカー／フェルトペン）、幅、色、透明度の組み合わせを定義している。ユーザは、このメニューからペンを選択することができる。
【００９９】
「アンドゥ」ボタン５１６は、編集操作を取り消すために使用される。「リドゥ」ボタン５１７は、編集操作をやり直すために使用される。
【０１００】
「サーチ」ボタン５１８は、上述の筆跡検索、またはテキスト検索を実行するためのボタンである。「カメラ」ボタン５１９は、写真を撮り、この写真を編集ビューエリア５０４にインポートするために使用される。「カメラ」ボタン５１９がタップされた時、処理部３０８は、キャプチャアプリケーションプログラム２０３を起動する。ユーザは、キャプチャアプリケーションプログラム２０３を使用して写真を撮ることができる。キャプチャアプリケーションプログラム２０３によって撮影及び補正された写真の画像データ（文書画像）は、編集中のページにインポート（貼り付け）される。「プレビュー」ボタン５２０は、編集中のページを含むノート内のページそれぞれを閲覧可能なプレビューモードに遷移するためのボタンである。「メニューバー」ボタン５２１は、編集ツールバー５０３とは異なるメニューを表示するためのボタンである。
【０１０１】
編集ビューエリア５０４は、手書き入力可能な手書き入力エリアである。
【０１０２】
図９は、ボイスレコーダアプリケーション２０４のデータ（コンテンツ）の例を示す。
【０１０３】
「Ｕｎｃｌａｓｓｉｆｉｅｄ  ｐａｇｅｓ」アイコン５０７がタップされると、「Ｕｎｃｌａｓｓｉｆｉｅｄ  ｐａｇｅｓ」内のページ（コンテンツ）のサムネイル画像がページリスト５０２に表示される。「Ｕｎｃｌａｓｓｉｆｉｅｄ  ｐａｇｅｓ」にあるボイスレコーダアプリケーション２０４のコンテンツの各々は、音声の録音データのメタデータである。ユーザがボイスレコーダアプリケーション２０４のコンテンツ（メタデータ）のサムネイル５３２をタップした時、このコンテンツ（メタデータ）の詳細が編集ビューエリア５０４に表示される。
【０１０４】
メタデータの詳細は、４つのアイテム５４１〜５４５を含む。アイテム５４１は、録音データの種別（ボイスメモ、会議録音、不明、等）に関連づけられたアイコン、録音データのタイトル（「Ｎｅｗ  Ｐｒｏｄｕｃｔ  Ｐｌａｎ  Ｍｅｅｔｉｎｇ」）、録音日時（２０１５．１０．１０  １５：００：００〜１６：００：００）、録音データの総時間長（３０：２６：０１）等を示す。アイテム５４２は、録音データ内の話者のリストを示す。アイテム５４３は、ユーザによって追加されたテキストを示す。アイテム５４４は、この録音データをボイスレコーダアプリケーション２０４で再生することを要求するための再生ボタンである。
【０１０５】
図１０は、全コンテンツ一覧画面の例を示す。
【０１０６】
編集画面上の上述の「Ａｌｌ」アイコン５０６がタップされた時、処理部３０８は、図１０に示される全コンテンツ一覧画面６００を表示する。
【０１０７】
全コンテンツ一覧画面６００においては、手書きページと他のアプリケーションプログラムのコンテンツとを含む全てのコンテンツ６２１〜６２３、６２４〜６２７、６２８〜６３０、…の一覧が表示される。この場合、これらコンテンツのサムネイル画像の一覧が全コンテンツ一覧画面６００に表示されてもよい。
【０１０８】
これらコンテンツは、古い順または新しい順でソートされる。古い順または新しい順のいずれの場合においても、同じ期間（例えば同じ日）に作成されたコンテンツの集合は、横（行）方向または縦（列）方向のいずれか一方の方向に延びる帯状の表示領域に時系列順（古い順または新しい順）に表示される。
【０１０９】
例えば、同じ期間（例えば同じ日）に作成されたコンテンツの集合は、行方向に延びる或る表示領域に時系列順に表示されてもよい。
【０１１０】
この場合、コンテンツ６２１〜６２３、６２４〜６２７、６２８〜６３０、…の一覧の表示においては、まず、これらコンテンツは、作成日時の順でソートされ、全コンテンツ一覧画面６００上に時系列順に配置される。同じ作成日（または更新日）を有する幾つかのコンテンツは同じ表示領域上の左端から右端に向けて順次配置される。もし次の表示対象のコンテンツの作成日がその一つ前のコンテンツの作成日と異なるならば、次の表示対象のコンテンツが表示されるべき表示領域は、現在の表示領域と並行に延在する次の行の表示領域に変更される。
【０１１１】
したがって、異なる期間（例えば異なる日）に作成されたコンテンツ同士が同じ表示領域に表示されることは無い。
【０１１２】
これらコンテンツのサムネイル画像は、これらコンテンツの作成日時（または更新日時）を示すタグ領域を含んでもよい。このタグ領域はサムネイル画像の下部に位置してもよい。また、これらコンテンツのサムネイル画像は、対応するノートの色で表示される。例えば、作成日時（または更新日時）を示すタグ領域だけが、対応するノートの色で表示されてもよいし、サムネイル画像全体が対応するノートの色で表示されてもよい。あるいは、あるサムネイル画像が選択された時のみ、そのサムネイル画像の全体が対応するノートの色で強調表示されてもよい。
【０１１３】
３つのコンテンツ６２１〜６２３は、ある１日（例えば２０１６．３．１５）に作成（または更新）されたコンテンツの集合である。コンテンツ６２１と６２３は、ボイスレコーダアプリケーションプログラム２０４によって作成されたコンテンツである。コンテンツ６２２は、キャプチャアプリケーションプログラム２０３によって作成されたコンテンツである。これら３つのコンテンツ６２１〜６２３は古い順または新しい順に横方向に並べられる。一つの表示領域に表示可能な最大コンテンツ数は例えば４である。同じ日（例えば２０１６．３．１５）に作成（または更新）されたコンテンツの総数が６である場合には、これらコンテンツの中の５番目のコンテンツと６番目のコンテンツは、次の行の表示領域の左端から順に表示されてもよい。
【０１１４】
４つのコンテンツ６２４〜６２７は、別の１日（例えば２０１６．３．１０）に作成（または更新）されたコンテンツの集合である。コンテンツ６２４は、ボイスレコーダアプリケーションプログラム２０４によって作成されたコンテンツである。コンテンツ６２５と６２７は、手書きノートアプリケーションプログラム２０によって作成されたコンテンツ（手書きページ）である。コンテンツ６２６は、ボイスレコーダアプリケーションプログラム２０４によって作成されたコンテンツである。これら４つのコンテンツ６２４〜６２７は古い順または新しい順に横方向に並べられる。
【０１１５】
コンテンツ６２８〜６３０も、さらに別の１日に作成（または更新）されたコンテンツの集合である。
【０１１６】
全コンテンツ一覧画面６００は縦方向にスクロールすることができる。
【０１１７】
全コンテンツ一覧画面６００においては、複数種のアプリケーションプログラムのコンテンツの内、同じ期間（例えば同じ日）に作成（または更新）されたコンテンツが同じ表示領域に時系列順に表示される。したがって、時間的関連性の高いコンテンツ同士は、同じ表示領域内に隣接して配置される。
【０１１８】
上述したように、会議のようなビジネスシーンにおいては、ユーザは、手書きによってメモを取りながら、会議の音声を録音したり、紙資料またはホワイトボードの画像をキャプチャする場合がある。通常、手書きページ、音声の録音データ、写真（画像データ）は異なるアプリケーションによって個別に管理される。本実施形態では、手書きノートアプリケーションプログラム２０２は、手書きページのみならず、これら手書きページ、音声の録音データ、写真（画像データ）を含む全てのコンテンツを管理でき、且つ同じ期間内に作成されたコンテンツ群を同じ表示領域に時系列順に表示できる。よって、手書きページ、音声の録音データ、写真（画像データ）間の関連性をユーザに分かりやすく提示することができる。
【０１１９】
全コンテンツ一覧画面６００は、さらに、「フィルタリング」ボタン群６０１、「サーチ」ボタン６０８、「メニューバー」ボタン６０９、「リターン」ボタン６１０、「月ジャンプ」プルダウンメニュー６１１、「ＡＬＬ」プルダウンメニュー６１２、「ソート」プルダウンメニュー６１３を表示する。
【０１２０】
「フィルタリング」ボタン群６０１は、「ＡＬＬフィルタリング」ボタン６０１Ａ、「Ｎｏｔｅフィルタリング」ボタン６０１Ｂ、「Ｃｌｉｐｐｅｒフィルタリング」ボタン６０１Ｃ、「Ｃａｐｔｕｒｅフィルタリング」ボタン６０１Ｄ、「Ｒｅｃｏｄｅｒフィルタリング」ボタン６０１Ｅ、「Ｃｏｌｌａｂｏｌａｔｉｏｎフィルタリング」ボタン６０１Ｆを含む。
【０１２１】
「ＡＬＬフィルタリング」ボタン６０１Ａは、複数種のアプリケーション（ここでは、手書きノートアプリケーションプログラム２０２、キャプチャアプリケーションプログラム２０３、ボイスレコーダアプリケーションプログラム２０４、クリッパーアプリケーションプログラム２０５、およびコラボレーションアプリケーションプログラム２０６）の全ての種類のコンテンツの一覧を表示するためのボタンである。初期状態においては、「ＡＬＬフィルタリング」ボタン６０１Ａが有効状態に設定される。
【０１２２】
「Ｎｏｔｅフィルタリング」ボタン６０１Ｂは、手書きノートアプリケーションプログラム２０２によって作成された手書きページの一覧のみを全コンテンツ一覧画面６００に表示するためのボタンである。「Ｎｏｔｅフィルタリング」ボタン６０１Ｂがユーザによってタップされた時、処理部３０８は、全てのコンテンツから手書きノートアプリケーションプログラム２０２によって作成された手書きページを抽出し、手書きノートアプリケーションプログラム２０２によって作成された手書きページの一覧のみを全コンテンツ一覧画面６００に表示する。同じ日に作成（または更新）された手書きページ群は、同じ表示領域に時系列順に表示される。
【０１２３】
例えば、図１５に示されているように、２０１６．３．１０に作成されたコンテンツ６２４〜６２７が同じ一つの表示領域（表示行）に表示されている状態で、「Ｎｏｔｅフィルタリング」ボタン６０１Ｂのタップによって手書きノートアプリケーションプログラム２０２がユーザによって選択されたならば、処理部３０８は、コンテンツ６２４〜６２７の内、手書きページのコンテンツ６２５、６２７のみをこの表示領域の左端から表示する。
【０１２４】
「Ｃｌｉｐｐｅｒフィルタリング」ボタン６０１Ｃは、クリッパーアプリケーションプログラム２０５によって作成されたコンテンツの一覧のみを全コンテンツ一覧画面６００に表示するためのボタンである。「Ｃｌｉｐｐｅｒフィルタリング」ボタン６０１Ｃがユーザによってタップされた時、処理部３０８は、全てのコンテンツからクリッパーアプリケーションプログラム２０５によって作成されたコンテンツを抽出し、クリッパーアプリケーションプログラム２０５によって作成されたコンテンツの一覧のみを全コンテンツ一覧画面６００に表示する。同じ日に作成（または更新）されたクリッパーアプリケーションプログラム２０５のコンテンツ群は、同じ表示領域に時系列順に表示される。
【０１２５】
「Ｃａｐｔｕｒｅフィルタリング」ボタン６０１Ｄは、キャプチャアプリケーションプログラム２０３によって作成されたコンテンツの一覧のみを全コンテンツ一覧画面６００に表示するためのボタンである。「Ｃａｐｔｕｒｅフィルタリング」ボタン６０１Ｄがユーザによってタップされた時、処理部３０８は、全てのコンテンツからキャプチャアプリケーションプログラム２０３によって作成されたコンテンツを抽出し、キャプチャアプリケーションプログラム２０３によって作成されたコンテンツの一覧のみを全コンテンツ一覧画面６００に表示する。同じ日に作成（または更新）されたキャプチャアプリケーションプログラム２０３のコンテンツ群は、同じ表示領域に時系列順に表示される。
【０１２６】
「Ｒｅｃｏｄｅｒフィルタリング」ボタン６０１Ｅは、ボイスレコーダアプリケーションプログラム２０４によって作成されたコンテンツの一覧のみを全コンテンツ一覧画面６００に表示するためのボタンである。「Ｒｅｃｏｄｅｒフィルタリング」ボタン６０１Ｅがユーザによってタップされた時、処理部３０８は、全てのコンテンツからボイスレコーダアプリケーションプログラム２０４によって作成されたコンテンツを抽出し、ボイスレコーダアプリケーションプログラム２０４によって作成されたコンテンツの一覧のみを全コンテンツ一覧画面６００に表示する。同じ日に作成（または更新）されたボイスレコーダアプリケーションプログラム２０４のコンテンツ群は、同じ表示領域に時系列順に表示される。
【０１２７】
「Ｃｏｌｌａｂｏｌａｔｉｏｎフィルタリング」ボタン６０１Ｆがユーザによってタップされた時、処理部３０８は、コラボレーションアプリケーションプログラム２０６によって作成されたコンテンツの一覧のみを全コンテンツ一覧画面６００に表示する。同じ日に作成（または更新）されたコラボレーションアプリケーションプログラム２０６のコンテンツ群は、同じ表示領域に時系列順に表示される。
【０１２８】
「サーチ」ボタン６０８は、検索キーにマッチするコンテンツを求めて、手書きページと他のアプリケーションプログラムのコンテンツとを含む全てのコンテンツを検索するためのボタンである。「メニューバー」ボタン６０９は、全コンテンツ一覧画面６００上の任意のコンテンツを「削除」、「移動」等するためのメニューを表示するためのボタンである。「リターン」ボタン６１０は、編集画面に戻るためのボタンである。
【０１２９】
「月ジャンプ」プルダウンメニュー６１１は、全コンテンツ一覧画面６００上に表示されるべきコンテンツリスト部分を、指定された「月」に対応するリスト部分にジャンプするためのプルダウンメニューである。「ＡＬＬ」プルダウンメニュー６１２は、全コンテンツ一覧画面６００上に表示されるべきコンテンツを、任意の一つ以上のノートに含まれるコンテンツのみに制限するためのプルダウンメニューである。「ソート」プルダウンメニュー６１３は、全コンテンツ一覧画面６００上に表示されるコンテンツのソート順を変更するためのプルダウンメニューである。デフォルトのソート順は作成日時であってもよい。ユーザは、ソート順を更新日時に変更することができる。
【０１３０】
図１１は、全コンテンツ一覧画面６００上に表示される月リスト７０１の例を示す。
【０１３１】
月リスト７０１は、「月ジャンプ」プルダウンメニュー６１１がタップされた時に全コンテンツ一覧画面６００上に表示される（ポップアップ）。ユーザは月リスト７０１をスクロールすることができる。月リスト７０１においては、月毎に、コンテンツの総数が表示される。ユーザが月リスト７０１上のある月をタップした時、全コンテンツ一覧画面６００上に表示されるべきコンテンツリスト部分は、タップされた月に対応するリスト部分にジャンプし、月リスト７０１は消える。月リスト７０１の外側がタップされた時も、月リスト７０１は消える。
【０１３２】
図１２は、図１１の月リストを利用して実行される月ジャンプ動作の例を示す。
【０１３３】
「月ジャンプ」プルダウンメニュー６１１がタップされた時、処理部３０８は、「月ジャンプ」プルダウンメニュー６１１をオープンして「月ジャンプ」プルダウンメニュー６１１を上下方向に拡大する。拡大された「月ジャンプ」プルダウンメニュー６１１が月リスト７０１として表示される。月リスト７０１は、現在選択されている月（Ｍａｒｃｈ  ２０１６）に加え、現在選択されている月の後の２つの月と、現在選択されている月の前の４つの月とを表示してもよい。ユーザが月リスト７０１上のある月（Ｆｅｂｒｕａｌｙ）をタップすると、処理部３０８は、この月（Ｆｅｂｒｕａｌｙ）を選択し、全コンテンツ一覧画面６００上に表示されるべきコンテンツリスト部分を、Ｍａｒｃｈ  ２０１６に対応するコンテンツリスト部分からＦｅｂｒｕａｌｙ  ２０１６に対応するコンテンツリスト部分に変更する。そして、処理部３０８は、「月ジャンプ」プルダウンメニュー６１１を元のサイズに変更し、「月ジャンプ」プルダウンメニュー６１１上に表示される文字列を「Ｆｅｂｒｕａｌｙ  ２０１６」に変更する。
【０１３４】
図１３は、全コンテンツ一覧画面６００上に表示されるノートフィルター７０４の例を示す。
【０１３５】
ノートフィルター７０４は、「ＡＬＬ」プルダウンメニュー６１２がタップされた時に全コンテンツ一覧画面６００上に表示される（ポップアップ）。ノートフィルター７０４は、全てのノートのリストを表示する。ユーザがあるノートを選択すると、処理部３０６は、全てのコンテンツから、選択されたノートに含まれるコンテンツのみを抽出し、抽出されたコンテンツだけを全コンテンツ一覧画面６００上に表示する。
【０１３６】
図１４は、全コンテンツ一覧画面６００上に表示されるソートメニュー７０５の例を示す。
【０１３７】
ソートメニュー７０５は、「ソート」プルダウンメニュー６１３がタップされた時に全コンテンツ一覧画面６００上に表示される（ポップアップ）。ソートメニュー７０５においては、更新日（Ｍｏｄｉｆｉｅｄ  ｄａｔｅ）に関する２つのソート順「Ｎｅｗｅｒ」、「ｏｌｄｅｒ」と、作成日（Ｃｒｅａｔｅｄ  ｄａｔｅ）に関する２つのソート順「Ｎｅｗｅｒ」、「ｏｌｄｅｒ」とを表示する。
【０１３８】
Ｍｏｄｉｆｉｅｄ  ｄａｔｅ（Ｎｅｗｅｒ）が選択された場合、直近に更新されたコンテンツがコンテンツリストの左上端に表れる。Ｍｏｄｉｆｉｅｄ  ｄａｔｅ（ｏｌｄｅｒ）が選択された場合、最も以前に更新されたコンテンツがコンテンツリストの左上端に表れる。Ｃｒｅａｔｅｄ  ｄａｔｅ（Ｎｅｗｅｒ）が選択された場合、直近に作成されたコンテンツがコンテンツリストの左上端に表れる。Ｃｒｅａｔｅｄ  ｄａｔｅ（ｏｌｄｅｒ）が選択された場合、最も以前に作成されたコンテンツがコンテンツリストの左上端に表れる。
【０１３９】
現在適用されているソート順と異なるソート順がユーザによって選択された時、処理部３０８は、現在適用されているソート順を、選択されたソート順に変更する。
【０１４０】
図１５は、全コンテンツ一覧画面６００上に表示されるメニュー６４０の例を示す。
【０１４１】
例えば、全コンテンツ一覧画面６００上のあるコンテンツがユーザによってロングタップされた時、処理部３０８は、このコンテンツを選択すると共に、メニュー６４０を全コンテンツ一覧画面６００上に表示する（ポップアップ）。図１５では、コンテンツ６２１がロングタップによって選択された場合が想定されている。コンテンツ６２１のサムネイル画像は強調表示される。例えば、このサムネイル画像を囲む枠が表示されてもよい。
【０１４２】
メニュー６４０は、ムーブボタン６４１、削除ボタン６４２、設定ボタン６４３を表示する。ムーブボタン６４１は、選択されたコンテンツをユーザによって指定されたノートに移動するためのボタンである。削除ボタン６４２は、選択されたコンテンツを削除するためのボタンである。
【０１４３】
ムーブボタン６４１がユーザによってタップされた時、処理部３０８は、図１６に示すように、選択ノートリスト６５０を全コンテンツ一覧画面６００上に表示する。選択ノートリスト６５０は、全てのノートのリストを表示する。ユーザによって選択ノートリスト６５０上のあるノート（移動先ノート）が選択されると、処理部３０８は、選択ノートリスト６５０上のこのノート表示部分を、このノートの色で強調表示する。そして、処理部３０８は、選択されたコンテンツを、選択されたノートに移動する。例えば、コンテンツ６２１が選択されており、移動先のノートとしてユーザ作成ノート（例えば、「ノート２」）が選択された場合には、コンテンツ６２１は、Ｕｎｃｌａｓｓｉｆｉｅｄ  Ｎｏｔｅからユーザ作成ノート（例えば、「ノート２」）に移動される。そして、処理部３０８は、図１７に示すように、コンテンツ６２１のサムネイル画像を、「ノート２」に対応する色で表示する。換言すれば、コンテンツ６２１のサムネイル画像の色は、Ｕｎｃｌａｓｓｉｆｉｅｄ  Ｎｏｔｅの色から、「ノート２」の色に変更される。この場合、例えば、コンテンツ６２１のサムネイル画像のタグ領域の色だけが、Ｕｎｃｌａｓｓｉｆｉｅｄ  Ｎｏｔｅの色から、「ノート２」の色に変更されてもよい。
【０１４４】
次に、図１８〜図２１を参照して、全コンテンツ一覧画面６００上のコンテンツの一つを編集する動作を説明する。
【０１４５】
ここでは、キャプチャアプリケーションプログラム２０３によって作成されたコンテンツ６２６に手書きストロークを加える場合を想定する。
【０１４６】
全コンテンツ一覧画面６００上のコンテンツ６２６がユーザによってタップされた時、図１８に示すように、処理部３０８は、コンテンツ６２６を選択する。そして、処理部３０８は、図１９に示されるプレビュー画面８００を表示する。
【０１４７】
プレビュー画面８００は、ユーザがコンテンツをフルスクリーン上で見ることを可能にする。コンテンツ６２６はプレビュー画面８００上に拡大されたサイズで表示される。また、ユーザは、プレビュー画面８００上の指ジェスチャ（スワイプ）、または矢印ボタン８１３Ａまたは８１３Ｂのタップによって、コンテンツを前方または後方に移動することができる。プレビュー画面８００に表示されるコンテンツは、全コンテンツ一覧画面６００上のコンテンツリストの並び順と同じ順序で変更される。また、ユーザは、プレビュー画面８００上に表示されている編集ボタン８１０をタップすることよって編集モードを有効にでき、またプレビュー画面８００上に表示されている削除ボタン８１１をタップすることよって現在プレビューされているコンテンツを削除することもできる。また、ユーザは、プレビュー画面８００上に表示されている戻るボタン８１４をタップすることによって、全コンテンツ一覧画面６００に戻ることもできる。
【０１４８】
例えばコンテンツ６２６がプレビュー画面８００に表示されている状態で編集ボタン８１０がユーザによってタップされた時、処理部３０８は、図２０に示すように、編集画面を表示し、編集ビューエリア５０４にコンテンツ６２６を表示する。ユーザは、手書きによってストロークをコンテンツ６２６上に描画することができる。すなわち、処理部３０８は、ユーザの手書き入力操作に基づいて、コンテンツ６２６に手書きストローク（例えば手書きストローク８２０）を書き込んでコンテンツ６２６を編集する。編集されたコンテンツ６２６は自動的に保存されてもよい。
【０１４９】
もしコンテンツ６２６の編集後にユーザか全コンテンツ一覧画面６００の表示を要求したならば、手書きストロークを含むコンテンツ６２６のサムネイル画像が全コンテンツ一覧画面６００のコンテンツリスト上に表れる。
【０１５０】
ソート順がｏｄｉｆｉｅｄ  ｄａｔｅ（Ｎｅｗｅｒ）である場合には、図２１に示すように、手書きストロークが反映されたコンテンツ６２６のサムネイル画像が、全コンテンツ一覧画面６００のコンテンツリストの左上端に表示される。
【０１５１】
図２２は、編集画面上に表示される編集ツールバーの例を示す。
【０１５２】
編集ツールバー５０３の「メニューバー」ボタン５２１がユーザによってタップされた時、編集ツールバー５０３は、横方向に拡大され、図８に示した編集メニューとは異なるメニューを表示する。
【０１５３】
この編集ツールバー５０３は、ノート操作部８３０、ページ操作部８３１、オプション設定部８３２、「メニューバー」ボタン５２１、「キャプチャアプリケーションプログラム」ボタン８７１、「コラボレーションアプリケーションプログラム」ボタン８７２、「ボイスレコーダアプリケーションプログラム」ボタン８７３、「クリッパーアプリケーションプログラム」ボタン８７４を含む。
【０１５４】
ノート操作部８３０は、「エクスポート」ボタン８４１、「セーブ」ボタン８４２、「インサート」ボタン８５３、「デリート」ボタン８４４、「ノートブック・プロパティ」ボタン８４５を含む。
【０１５５】
ページ操作部８３１は、「セーブ」ボタン８５１、「インサート」ボタン８５２、「印刷」ボタン８５３、「ピン」ボタン８５４、「ムーブ」ボタン８５５、「デリート」ボタン８５６、「テンプレート」ボタン８５７を含む。
【０１５６】
オプション設定部８３２は、「ヘルプ」ボタン８６１、「セッティング」ボタン８６２、「アッド・カスタマイズ・ページ」ボタン８６３を含む。
【０１５７】
「キャプチャアプリケーションプログラム」ボタン８７１は、キャプチャアプリケーションプログラム２０３を起動するためのボタンである。「キャプチャアプリケーションプログラム」ボタン８７１がユーザによってタップされた時、処理部３０８は、キャプチャアプリケーションプログラム２０３を起動する。キャプチャアプリケーションプログラム２０３によって撮影された画像データ（コンテンツ）は編集ビューエリア５０４にインポート（貼り付け）される。
【０１５８】
「コラボレーションアプリケーションプログラム」ボタン８７２は、コラボレーションアプリケーションプログラム２０６を起動するためのボタンである。「コラボレーションアプリケーションプログラム」ボタン８７２がユーザによってタップされた時、処理部３０８は、コラボレーションアプリケーションプログラム２０６を起動する。
【０１５９】
「ボイスレコーダアプリケーションプログラム」ボタン８７３は、ボイスレコーダアプリケーションプログラム２０４を起動するためのボタンである。「ボイスレコーダアプリケーションプログラム」ボタン８７３がユーザによってタップされた時、処理部３０８は、ボイスレコーダアプリケーションプログラム２０４を起動する。
【０１６０】
「クリッパーアプリケーションプログラム」ボタン８７４は、クリッパーアプリケーションプログラム２０５を起動するためのボタンである。「クリッパーアプリケーションプログラム」ボタン８７４がユーザによってタップされた時、処理部３０８は、クリッパーアプリケーションプログラム２０５を起動する。
【０１６１】
図２３は、追加ノート処理時またノートプロパティ変更処理時に編集画面上に表示されるノートプロパティ設定画面の例を示す。
【０１６２】
ノートプロパティ設定画面９００は、ページ向き設定部９０１、ページテンプレート設定部９０２、ノートカラー設定部９０３、ノート名入力部９０４、「キーボード」ボタン９０５、「ＯＫ」ボタン９０６を含む。
【０１６３】
ページ向き設定部９０１は、縦長のページの向きを示す「ポートレート」アイコンと、横長のページの向きを示す「ランドスケープ」アイコンとを含む。「ポートレート」アイコンがユーザによってタップされた時、処理部３０８は、縦長のページ（ポートレートページ）を選択する。「ランドスケープ」アイコンがユーザによってタップされた時、処理部３０８は、横長のページ（ランドスケープページ）を選択する。
【０１６４】
ページテンプレート設定部９０２は、罫線の有無、罫線の種類、背景画像の有無、背景色等の組み合わせによって定義される複数種のページテンプレートに対応する複数のテンプレートアイコンを含む。ユーザによって任意のテンプレートアイコンがタップされた時、処理部３０８は、ユーザにタップされたテンプレートアイコンに対応するページテンプレートを選択する。
【０１６５】
ノートカラー設定部９０３は、ノートカラーに用いられる複数の「色」アイコンを含む。通常は、先頭の「色」アイコンに対応するノートカラーが自動的に選択される。「色」アイコンの並び順は、あるノートのノートカラーが設定される度に変更される。例えば、先頭の「色」アイコンは、「色」アイコンの並びの末尾に移動し、２番目以降の色アイコンそれぞれが先頭に向けて左側に一つずつ移動する。
【０１６６】
ユーザが「色」アイコンの一つを選択することもできる。すなわち、ユーザによって任意の「色」アイコンがタップされた時、処理部３０８は、ユーザによってタップされた「色」アイコンに対応するノートカラーを選択する。
【０１６７】
ノート名入力部９０４は、手書き入力可能な手書き入力エリアである。ユーザは、ノート名入力部９０４に文字列（ノート名）を手書き入力することができる。
【０１６８】
「キーボード」ボタン９０５は、ソフトウエアキーボードを表示するためのボタンである。「キーボード」ボタン９０５がユーザによってタップされた時、処理部３０８は、ソフトウエアキーボードを表示する。ユーザは、ソフトウエアキーボードを用いてノート名の文字列を入力することができる。
【０１６９】
「ＯＫ」ボタン９０６がユーザによってタップされた時、処理部３０８は、ページ向き設定部９０１、ページテンプレート設定部９０２、ノートカラー設定部９０３、ノート名入力部９０４等で、それぞれ設定された設定内容に基づいて、ノートの追加又は既存のノートプロパティの変更を行う。
【０１７０】
図２４は、追加ノート処理後に処理部３０８によって表示される編集画面の例を示す。
【０１７１】
タイトル名「Ｎｏｔｅ７」のノートが追加された場合には、ノートブックリスト５０１にノートアイコン（タイトル名「Ｎｏｔｅ７」）が追加される。このノートアイコン（タイトル名「Ｎｏｔｅ７」）がユーザによってタップされた時、このノートアイコンは、「Ｎｏｔｅ７」の色で強調表示され、そしてタイトル名「Ｎｏｔｅ７」のノートに含まれる新規ページのサムネイル画像がページリスト５０２に表示される。このサムネイル画像も、「Ｎｏｔｅ７」の色で表示されてもよい。また、編集ツールバー５０３の背景も、「Ｎｏｔｅ７」の色で表示されてもよい。
【０１７２】
図２５は、全コンテンツ一覧画面６００上に表示される検索画面９１０の例を示す。
【０１７３】
検索画面９１０は、全コンテンツ一覧画面６００上の「サーチ」ボタン６０８がユーザによってタップされた時に表示される。
【０１７４】
検索画面９１０は、検索キー入力エリア９１１と筆跡候補エリア９１２とを含む。ユーザによって検索キー入力エリア９１１にストローク（仮ストローク）が手書きによって入力された時、自動補完機能によって幾つかの筆跡候補が筆跡候補エリア９１２に表示される。筆跡候補の一つがユーザによって選択された時、選択された筆跡候補が検索キー入力エリア９１１に表示される。
【０１７５】
手書き文字列、手書きマーク、手書き図形のような筆跡が検索キー入力エリア９１１に入力されている状態で「ＯＫ」ボタン９１４がユーザによってタップされた時、処理部３０８は、検索キーである筆跡（クエリーストローク）にマッチする筆跡を含むコンテンツまたはクエリーストロークに対応する文字列（テキスト）を含むコンテンツを求めて、手書きページと他のアプリケーションプログラムのコンテンツとを含む全てのコンテンツを検索する。したがって、複数種のアプリケーションの複数種のコンテンツの検索を、手書きノートアプリケーションプログラム２０２の全コンテンツ一覧画面６００上で横断的に実行することができる。
【０１７６】
検索画面９１０は「キーボード」ボタン９１３も表示する。「キーボード」ボタン９１３がユーザによってタップされた時、ソフトウエアキーボードが表示される。ユーザは、ソフトウエアキーボードを操作することにより、文字列（テキスト）を検索キーとして入力することができる。この場合、処理部３０８は、この文字列（テキスト）を含むコンテンツを求めて、手書きページと他のアプリケーションプログラムのコンテンツとを含む全てのコンテンツを検索する（テキスト検索）。各手書きページは、その中の個々の手書き文字列の文字認識結果を含んでいてもよい。これにより、テキスト検索においても、検索キーであるテキストに対応する手書き文字列を、手書きページそれぞれから見つけることができる。
【０１７７】
図２６は、全コンテンツ一覧画面６００上に表示される検索結果画面９２０の例を示す。
【０１７８】
ここでは、手書き文字列「ＴＯＳＨＩ」が検索キーとして使用された場合が想定されている。手書き文字列「ＴＯＳＨＩ」を含む手書きページの各々においては、ヒットワードである手書き文字列「ＴＯＳＨＩ」がハイライトされる。また、手書き文字列「ＴＯＳＨＩ」に対応するテキストを含む幾つかのコンテンツがある場合には、これらコンテンツ内の各ヒットワードもハイライトされる。
【０１７９】
なお、検索結果画面９２０においては、手書きページと他のアプリケーションプログラムのコンテンツとを含む全てのコンテンツの内、ヒットワード（手書き文字列またはテキスト）を含むコンテンツだけが表示されてもよい。
【０１８０】
図２７のフローチャートは、手書きノートアプリケーションプログラム２０２がタブレット１０によって実行された時にＣＰＵ１０１によって実行される編集画面／全コンテンツ一覧画面表示処理の手順を示す。
【０１８１】
手書きノートアプリケーションプログラム２０２が起動された時または手書きノートアプリケーションプログラム２０２が非アクティブ状態からアクティブ状態に遷移した時（ステップＳ１１のＹＥＳ）、ＣＰＵ１０１は、キャッシュ２１２から他の各アプリケーションのコンテンツ（データファイル）を取得する（ステップＳ１２）。なお、あるアプリケーションプログラムがアクティブ状態であるとは、このアプリケーションプログラムがフォアグラウンドに移行していること、換言すればこのアプリケーションプログラムが起動されており且つフォーカスされていることを意味する。
【０１８２】
そして、ＣＰＵ１０１は、取得したコンテンツを、Ｕｎｃｌａｓｓｉｆｉｅｄ  Ｎｏｔｅ２１７内のコンテンツとして手書きノートアプリケーションフォルダ２１４内に保存する（ステップＳ１３）。
【０１８３】
ＣＰＵ１０１は、上述の編集画面をＬＣＤ１７Ａの画面上に表示する（ステップＳ１４）。「Ａｌｌ」アイコン５０６を操作するためのユーザ入力（例えばタップ操作）が検出された時（ステップＳ１５のＹＥＳ）、ＣＰＵ１０１は、全コンテンツ一覧画面６００をＬＣＤ１７Ａの画面上に表示するためのコンテンツ一覧表示処理を実行する（ステップＳ１６）。
【０１８４】
図２８のフローチャートは、コンテンツ一覧表示処理の手順を示す。
【０１８５】
ＣＰＵ１０１は、手書きノートアプリケーションフォルダ２１４内の全てのコンテンツ、つまり手書きページと他のアプリケーションプログラムのコンテンツとを含む全てのコンテンツを、取得する（ステップＳ２１）。ＣＰＵ１０１は、これら全てのコンテンツを作成日時の順でソートする。
【０１８６】
ＣＰＵ１０１は、直近の日または最も古い日に作成されたコンテンツが現在の表示領域（ここでは、全コンテンツ一覧画面６００の最も上の表示領域）に時系列順に並ぶようにこれらコンテンツを現在の表示領域（表示行）に表示する（ステップＳ２３）。これらコンテンツの各々は、それらコンテンツが属するノートの色（ノートカラー）で表示される。
【０１８７】
次の表示対象のコンテンツの作成日が現在の表示領域に表示されたコンテンツ群の作成日と異なる場合（ステップＳ２４のＹＥＳ）、または現在の表示領域に表示されたコンテンツの数が一つの表示領域当たりの最大表示可能コンテンツ数に達した場合（ステップＳ２５のＹＥＳ）、ＣＰＵ１０１は、次の表示対象のコンテンツが表示されるべき表示領域を、次の行の表示領域に変更する（ステップＳ２６）。
【０１８８】
このコンテンツ一覧表示処理により、手書きページ、音声の録音データ、写真（画像データ）等を含む複数種のコンテンツの内、同じ期間（例えば同じ１日）内に作成された複数種のコンテンツを互いに近接した位置に表示することができる。
【０１８９】
図２９のフローチャートは、フィルタリング処理の手順を示す。
【０１９０】
図１０の全コンテンツ一覧画面６００上の「Ｎｏｔｅフィルタリング」ボタン６０１Ｂ、「Ｃｌｉｐｐｅｒフィルタリング」ボタン６０１Ｃ、「Ｃａｐｔｕｒｅフィルタリング」ボタン６０１Ｄ、「Ｒｅｃｏｄｅｒフィルタリング」ボタン６０１Ｅ、または「Ｃｏｌｌａｂｏｌａｔｉｏｎフィルタリング」ボタン６０１Ｆのいずれかを操作するためのユーザ入力（タップ操作）が検出された時（ステップＳ３１のＹＥＳ）、ＣＰＵ１０１は、手書きページと他のアプリケーションプログラムのコンテンツとを含む全てのコンテンツから、選択されたボタンに対応するアプリケーションのコンテンツのみを抽出する（ステップＳ３２）。そして、ＣＰＵ１０１は、抽出されたコンテンツの一覧を全コンテンツ一覧画面６００上に表示するためのコンテンツ一覧表示処理を実行する（ステップＳ３３）。ステップＳ３３では、抽出されたコンテンツの内、ある同じ日に作成されたコンテンツだけが、同じ一つの表示領域に時系列順に表示される。
【０１９１】
図３０のフローチャートは、削除／ムーブ処理の手順を示す。
【０１９２】
全コンテンツ一覧画面６００上のあるコンテンツを選択するユーザ操作（例えばコンテンツの長押し）が検出された時（ステップＳ４１のＹＥＳ）、ＣＰＵ１０１は、図１５で説明したメニュー６４０を全コンテンツ一覧画面６００上に表示する（ステップＳ４１）。
【０１９３】
メニュー６４０内のムーブボタン６４１を操作するためのユーザ入力（タップ操作）が検出された時（ステップＳ４３のＹＥＳ）、ＣＰＵ１０１は、図１６で説明した選択ノートリスト６５０を全コンテンツ一覧画面６００上に表示する（ステップＳ４６）。選択ノートリスト６５０内のあるノートがユーザによって選択された時（ステップＳ４７のＹＥＳ）、ＣＰＵ１０１は、選択されたコンテンツを、選択されたノートに移動する（ステップＳ４８）。
【０１９４】
メニュー６４０内の削除ボタン６４２を操作するためのユーザ入力（タップ操作）が検出された時（ステップＳ４４のＹＥＳ）、ＣＰＵ１０１は、選択されたコンテンツを削除する（ステップＳ４５）。
【０１９５】
図３１のフローチャートは、プレビュー／編集処理の手順を示す。
【０１９６】
全コンテンツ一覧画面６００上のあるコンテンツを選択するユーザ操作（タップ）が検出された時（ステップＳ５１のＹＥＳ）、ＣＰＵ１０１は、プレビューモードに入り、図１９で説明したプレビュー画面８００を表示する（ステップＳ５１）。プレビュー画面８００では、選択されたコンテンツがフルスクリーンで表示される。
【０１９７】
ページフォワードまたはページバックのためのユーザ操作（スワイプ、矢印ボタンの操作）が検出された時（ステップＳ５３）、ＣＰＵ１０１は、プレビュー画面８００に表示されるべきコンテンツを次のコンテンツまたは前のコンテンツに変更する（ステップＳ５４）。
【０１９８】
プレビュー画面８００上の編集ボタン８１０を操作するためのユーザ入力（タップ）が検出された時（ステップＳ５５のＹＥＳ）、ＣＰＵ１０１は、編集画面を表示し、プレビュー画面８００に現在表示されているコンテンツを、編集画面内の編集ビューエリア５０４に表示する（ステップＳ５６）。ステップＳ５６においては、ＣＰＵ１０１は、ユーザの手書き入力操作に基づいて、編集ビューエリア５０４上のコンテンツに手書きストロークを書き込んでこのコンテンツを編集する。
【０１９９】
以上説明したように、本実施形態においては、複数種のアプリケーションプログラムによって作成された複数種のコンテンツが手書きノートアプリケーションプログラム２０２によって管理され、これら複数種のコンテンツの内、ある第１期間内に作成された複数種のコンテンツだけが画面上のある一つの表示領域（第１表示領域）に時系列順に表示される。例えば、第１期間内に手書きノートアプリケーションプログラム２０２によって作成された一つ以上のコンテンツとこの第１期間内に別の一つ以上のアプリケーションプログラムによって作成された一つ以上のコンテンツとが第１表示領域に時系列順に表示される。したがって、例えば、同じ会議に関する手書きページ、音声データの録音、ホワイトボード／紙資料の画像データを、互いに近接した場所に表示できるので、複数種のアプリケーションプログラムによって作成された複数種のコンテンツ間の関連性をユーザに分かりやすく提示することができる。
【０２００】
なお、本実施形態では、手書きノートアプリケーションプログラム２０２が全コンテンツ一覧表示機能を有している場合を説明したが、手書きノートアプリケーションプログラム２０２以外の他のアプリケーションプログラム、例えば、キャプチャアプリケーションプログラム２０３、ボイスレコーダアプリケーションプログラム２０４、クリッパーアプリケーションプログラム２０５、またはコラボレーションアプリケーションプログラム２０６が、全コンテンツ一覧表示機能を有していてもよい。
【０２０１】
なお、本実施形態に記載された様々な機能の各々は、処理回路によって実現されてもよい。処理回路の例には、中央処理装置（ＣＰＵ）のような、プログラムされたプロセッサが含まれる。このプロセッサは、メモリに格納されたコンピュータプログラム（命令群）を実行することによって、記載された機能それぞれを実行する。このプロセッサは、電気回路を含むマイクロプロセッサであってもよい。処理回路の例には、デジタル信号プロセッサ（ＤＳＰ）、特定用途向け集積回路（ＡＳＩＣ）、マイクロコントローラ、コントローラ、他の電気回路部品も含まれる。本実施形態に記載されたＣＰＵ以外の他のコンポーネントの各々もまた処理回路によって実現されてもよい。
【０２０２】
また、本実施形態の各種処理はコンピュータプログラムによって実現することができるので、このコンピュータプログラムを格納したコンピュータ読み取り可能な記憶媒体を通じてこのコンピュータプログラムをコンピュータにインストールして実行するだけで、本実施形態と同様の効果を容易に実現することができる。
【０２０３】
このコンピュータプログラムがインストールされたコンピュータ内のＣＰＵは上述の全コンテンツ一覧表示の処理を実行するように構成されたプロセッサとして機能し得る。
【０２０４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
2017068406.tif 000003
【図２】
2017068406.tif 000004
【図３】
2017068406.tif 000005
【図４】
2017068406.tif 000006
【図５】
2017068406.tif 000007
【図６】
2017068406.tif 000008
【図７】
2017068406.tif 000009
【図８】
2017068406.tif 000010
【図９】
2017068406.tif 000011
【図１０】
2017068406.tif 000012
【図１１】
2017068406.tif 000013
【図１２】
2017068406.tif 000014
【図１３】
2017068406.tif 000015
【図１４】
2017068406.tif 000016
【図１５】
2017068406.tif 000017
【図１６】
2017068406.tif 000018
【図１７】
2017068406.tif 000019
【図１８】
2017068406.tif 000020
【図１９】
2017068406.tif 000021
【図２０】
2017068406.tif 000022
【図２１】
2017068406.tif 000023
【図２２】
2017068406.tif 000024
【図２３】
2017068406.tif 000025
【図２４】
2017068406.tif 000026
【図２５】
2017068406.tif 000027
【図２６】
2017068406.tif 000028
【図２７】
2017068406.tif 000029
【図２８】
2017068406.tif 000030
【図２９】
2017068406.tif 000031
【図３０】
2017068406.tif 000032
【図３１】
2017068406.tif 000033
【手続補正書】
【提出日】平成28年1月12日(2016.1.12)
【手続補正１】
【補正対象書類名】特許請求の範囲
【補正対象項目名】全文
【補正方法】変更
【補正の内容】
【特許請求の範囲】
【請求項１】
ディスプレイと、
第１アプリケーションによって第１期間内に作成された第１コンテンツと、前記第１アプリケーションとは異なる第２アプリケーションによって前記第１期間内に作成された第２コンテンツと、前記第１アプリケーションによって前記第１期間に続く第２期間内に作成された第３コンテンツと、前記第２アプリケーションによって前記第２期間内に作成された第４コンテンツとを記憶する記憶媒体にアクセス可能であって、前記第１コンテンツの第１サムネイルと、前記第２コンテンツの第２サムネイルと、前記第３コンテンツの第３サムネイルと、前記第４コンテンツの第４サムネイルとを前記ディスプレイ上に表示する処理手段とを備え、
前記第１アプリケーションは、筆跡を入力するためのアプリケーション、画像を撮影するためのアプリケーション、音声を録音するためのアプリケーション、文書の一部をクリップするためのアプリケーションのいずれかであって、
前記第２アプリケーションは、前記第１アプリケーションと異なるアプリケーションであり、前記筆跡を入力するためのアプリケーション、前記画像を撮影するためのアプリケーション、前記音声を録音するためのアプリケーション、前記文書の一部をクリップするためのアプリケーションのいずれかであって、
前記第１サムネイル、前記第２サムネイル、前記第３サムネイル、および前記第４サムネイルは、互いに直交する第１方向と第２方向へ二次元状に配置され、かつ前記第１方向に時系列順に配置されるものであって、
前記第１サムネイルと前記第２サムネイルの双方は、前記第１方向における第１位置に対応して配置され、
前記第３サムネイルと前記第４サムネイルの双方は、前記第１方向における前記第１位置の隣の第２位置に対応して配置され、
前記第１サムネイルと前記第２サムネイルは、前記第２方向に沿って配置され、
前記第３サムネイルと前記第４サムネイルは、前記第２方向に沿って配置される電子機器。
【請求項２】
前記第１アプリケーションは、前記第２アプリケーションから前記第２コンテンツと前記第４コンテンツとを取得する機能と、前記第１サムネイル、前記第２サムネイル、前記第３サムネイル、および前記第４サムネイルを二次元状に配置して表示する機能と、を有する請求項１に記載の電子機器。
【請求項３】
前記第２アプリケーションは前記音声を録音するためのアプリケーションであって、
前記第２サムネイルと、前記第４サムネイルは、音声のメタデータの少なくとも一部と、録音データの種別を示すアイコンとを含む請求項１または請求項２に記載の電子機器。
【請求項４】
前記記憶媒体は、さらに、前記第２アプリケーションによって前記第１期間内に作成された第５コンテンツと、前記第２アプリケーションによって前記第２期間内に作成された第６コンテンツとを記憶し、
前記処理手段は、前記第２アプリケーションのコンテンツのみを表示するための操作を受信した場合、前記第２サムネイルと、前記第４サムネイルと、前記第５コンテンツの第５サムネイルと、前記第６コンテンツの第６サムネイルとを、二次元状に配置して前記ディスプレイ上に表示するものであって、
前記第２サムネイルと前記第５サムネイルの双方は、前記第１位置に対応して配置され、
前記第４サムネイルと前記第６サムネイルの双方は、前記第２位置に対応して配置され、
前記第２サムネイルと前記第５サムネイルは、前記第２方向に沿って配置され、
前記第４サムネイルと前記第６サムネイルは、前記第２方向に沿って配置される請求項１、請求項２または請求項３のいずれか１項に記載の電子機器。
【請求項５】
前記第１アプリケーションは、前記筆跡を入力するためのアプリケーションであって、
前記第１サムネイルは、前記第１コンテンツに含まれる筆跡の画像であって、
前記第３サムネイルは、前記第３コンテンツに含まれる筆跡の画像である請求項１、請求項２、請求項３または請求項４のいずれか１項に記載の電子機器。
【請求項６】
前記処理手段は、ユーザの前記ディスプレイ上の操作に応じて、前記第１コンテンツに手書きによりストロークを書き込んで前記第１コンテンツを編集した場合に、前記第１サムネイルを当該編集後の第１コンテンツに含まれる筆跡の画像に変更する請求項１、請求項２、請求項３、請求項４または請求項５のいずれか１項に記載の電子機器。
【請求項７】
電子機器よって実行される方法であって、
第１アプリケーションによって第１期間内に作成された第１コンテンツと、前記第１アプリケーションとは異なる第２アプリケーションによって前記第１期間内に作成された第２コンテンツと、前記第１アプリケーションによって前記第１期間に続く第２期間内に作成された第３コンテンツと、前記第２アプリケーションによって前記第２期間内に作成された第４コンテンツとを記憶媒体から取得することと、
前記第１コンテンツの第１サムネイルと、前記第２コンテンツの第２サムネイルと、前記第３コンテンツの第３サムネイルと、前記第４コンテンツの第４サムネイルとをディスプレイ上に表示することとを具備し、
前記第１アプリケーションは、筆跡を入力するためのアプリケーション、画像を撮影するためのアプリケーション、音声を録音するためのアプリケーション、文書の一部をクリップするためのアプリケーションのいずれかであって、
前記第２アプリケーションは、前記第１アプリケーションと異なるアプリケーションであり、前記筆跡を入力するためのアプリケーション、前記画像を撮影するためのアプリケーション、前記音声を録音するためのアプリケーション、前記文書の一部をクリップするためのアプリケーションのいずれかであって、
前記第１サムネイル、前記第２サムネイル、前記第３サムネイル、および前記第４サムネイルは、互いに直交する第１方向と第２方向へ二次元状に配置され、かつ前記第１方向に時系列順に配置されるものであって、
前記第１サムネイルと前記第２サムネイルの双方は、前記第１方向における第１位置に対応して配置され、
前記第３サムネイルと前記第４サムネイルの双方は、前記第１方向における前記第１位置の隣の第２位置に対応して配置され、
前記第１サムネイルと前記第２サムネイルは、前記第２方向に沿って配置され、
前記第３サムネイルと前記第４サムネイルは、前記第２方向に沿って配置される、方法。
【請求項８】
前記第１アプリケーションは、前記第２アプリケーションから前記第２コンテンツと前記第４コンテンツとを取得する機能と、前記第１サムネイル、前記第２サムネイル、前記第３サムネイル、および前記第４サムネイルを二次元状に配置して表示する機能と、を有する請求項７に記載の方法。
【請求項９】
前記第２アプリケーションは前記音声を録音するためのアプリケーションであって、
前記第２サムネイルと、前記第４サムネイルは、音声のメタデータの少なくとも一部と、録音データの種別を示すアイコンとを含む請求項７または請求項８に記載の方法。
【請求項１０】
前記記憶媒体が、さらに、前記第２アプリケーションによって前記第１期間内に作成された第５コンテンツと、前記第２アプリケーションによって前記第２期間内に作成された第６コンテンツとを記憶する場合において、前記第２アプリケーションのコンテンツのみを表示するための操作を受信した場合、前記表示することは、前記第２サムネイルと、前記第４サムネイルと、前記第５コンテンツの第５サムネイルと、前記第６コンテンツの第６サムネイルとを、二次元状に配置して前記ディスプレイ上に表示することを含み、
前記第２サムネイルと前記第５サムネイルの双方は、前記第１位置に対応して配置され、
前記第４サムネイルと前記第６サムネイルの双方は、前記第２位置に対応して配置され、
前記第２サムネイルと前記第５サムネイルは、前記第２方向に沿って配置され、
前記第４サムネイルと前記第６サムネイルは、前記第２方向に沿って配置される請求項７、請求項８または請求項９のいずれか１項に記載の方法。
【請求項１１】
前記第１アプリケーションは、前記筆跡を入力するためのアプリケーションであって、
前記第１サムネイルは、前記第１コンテンツに含まれる筆跡の画像であって、
前記第３サムネイルは、前記第３コンテンツに含まれる筆跡の画像である請求項７、請求項８、請求項９または請求項１０のいずれか１項に記載の方法。
【請求項１２】
ユーザの前記ディスプレイ上の操作に応じて、前記第１コンテンツに手書きによりストロークを書き込んで前記第１コンテンツが編集された場合に、前記第１サムネイルを、当該編集後の第１コンテンツに含まれる筆跡の画像に変更することをさらに具備する請求項７、請求項８、請求項９、請求項１０または請求項１１のいずれか１項に記載の方法。
【請求項１３】
コンピュータによって実行されるプログラムであって、
第１アプリケーションによって第１期間内に作成された第１コンテンツと、前記第１アプリケーションとは異なる第２アプリケーションによって前記第１期間内に作成された第２コンテンツと、前記第１アプリケーションによって前記第１期間に続く第２期間内に作成された第３コンテンツと、前記第２アプリケーションによって前記第２期間内に作成された第４コンテンツとを記憶媒体から取得する手順と、
前記第１コンテンツの第１サムネイルと、前記第２コンテンツの第２サムネイルと、前記第３コンテンツの第３サムネイルと、前記第４コンテンツの第４サムネイルとをディスプレイ上に表示する手順とを、前記コンピュータに実行させ、
前記第１アプリケーションは、筆跡を入力するためのアプリケーション、画像を撮影するためのアプリケーション、音声を録音するためのアプリケーション、文書の一部をクリップするためのアプリケーションのいずれかであって、
前記第２アプリケーションは、前記第１アプリケーションと異なるアプリケーションであり、前記筆跡を入力するためのアプリケーション、前記画像を撮影するためのアプリケーション、前記音声を録音するためのアプリケーション、前記文書の一部をクリップするためのアプリケーションのいずれかであって、
前記第１サムネイル、前記第２サムネイル、前記第３サムネイル、および前記第４サムネイルは、互いに直交する第１方向と第２方向へ二次元状に配置され、かつ前記第１方向に時系列順に配置されるものであって、
前記第１サムネイルと前記第２サムネイルの双方は、前記第１方向における第１位置に対応して配置され、
前記第３サムネイルと前記第４サムネイルの双方は、前記第１方向における前記第１位置の隣の第２位置に対応して配置され、
前記第１サムネイルと前記第２サムネイルは、前記第２方向に沿って配置され、
前記第３サムネイルと前記第４サムネイルは、前記第２方向に沿って配置される、プログラム。
【請求項１４】
前記第１アプリケーションは、前記第２アプリケーションから前記第２コンテンツと前記第４コンテンツとを取得する機能と、前記第１サムネイル、前記第２サムネイル、前記第３サムネイル、および前記第４サムネイルを二次元状に配置して表示する機能と、を有する請求項１３に記載のプログラム。
【請求項１５】
前記第２アプリケーションは前記音声を録音するためのアプリケーションであって、
前記第２サムネイルと、前記第４サムネイルは、音声のメタデータの少なくとも一部と、録音データの種別を示すアイコンとを含む請求項１３または請求項１４に記載のプログラム。
【請求項１６】
前記記憶媒体が、さらに、前記第２アプリケーションによって前記第１期間内に作成された第５コンテンツと、前記第２アプリケーションによって前記第２期間内に作成された第６コンテンツとを記憶する場合において、前記第２アプリケーションのコンテンツのみを表示するための操作を受信した場合、前記表示する手順は、前記第２サムネイルと、前記第４サムネイルと、前記第５コンテンツの第５サムネイルと、前記第６コンテンツの第６サムネイルとを、二次元状に配置して前記ディスプレイ上に表示することを含み、
前記第２サムネイルと前記第５サムネイルの双方は、前記第１位置に対応して配置され、
前記第４サムネイルと前記第６サムネイルの双方は、前記第２位置に対応して配置され、
前記第２サムネイルと前記第５サムネイルは、前記第２方向に沿って配置され、
前記第４サムネイルと前記第６サムネイルは、前記第２方向に沿って配置される請求項１３、請求項１４または請求項１５のいずれか１項に記載のプログラム。
【請求項１７】
前記第１アプリケーションは、前記筆跡を入力するためのアプリケーションであって、
前記第１サムネイルは、前記第１コンテンツに含まれる筆跡の画像であって、
前記第３サムネイルは、前記第３コンテンツに含まれる筆跡の画像である請求項１３、請求項１４、請求項１５または請求項１６のいずれか１項に記載のプログラム。
【請求項１８】
ユーザの前記ディスプレイ上の操作に応じて、前記第１コンテンツに手書きによりストロークを書き込んで前記第１コンテンツが編集された場合に、前記第１サムネイルを、当該編集後の第１コンテンツに含まれる筆跡の画像に変更する手順を前記コンピュータにさらに実行させる請求項１３、請求項１４、請求項１５、請求項１６または請求項１７のいずれか１項に記載のプログラム。
【手続補正２】
【補正対象書類名】明細書
【補正対象項目名】０００７
【補正方法】変更
【補正の内容】
【０００７】
実施形態によれば、電子機器は、ディスプレイと、処理手段とを具備する。前記処理手段は、第１アプリケーションによって第１期間内に作成された第１コンテンツと、前記第１アプリケーションとは異なる第２アプリケーションによって前記第１期間内に作成された第２コンテンツと、前記第１アプリケーションによって前記第１期間に続く第２期間内に作成された第３コンテンツと、前記第２アプリケーションによって前記第２期間内に作成された第４コンテンツとを記憶する記憶媒体にアクセス可能であって、前記第１コンテンツの第１サムネイルと、前記第２コンテンツの第２サムネイルと、前記第３コンテンツの第３サムネイルと、前記第４コンテンツの第４サムネイルとを前記ディスプレイ上に表示する。前記第１アプリケーションは、筆跡を入力するためのアプリケーション、画像を撮影するためのアプリケーション、音声を録音するためのアプリケーション、文書の一部をクリップするためのアプリケーションのいずれかであって、前記第２アプリケーションは、前記第１アプリケーションと異なるアプリケーションであり、前記筆跡を入力するためのアプリケーション、前記画像を撮影するためのアプリケーション、前記音声を録音するためのアプリケーション、前記文書の一部をクリップするためのアプリケーションのいずれかである。前記第１サムネイル、前記第２サムネイル、前記第３サムネイル、および前記第４サムネイルは、互いに直交する第１方向と第２方向へ二次元状に配置され、かつ前記第１方向に時系列順に配置されるものであって、前記第１サムネイルと前記第２サムネイルの双方は、前記第１方向における第１位置に対応して配置され、前記第３サムネイルと前記第４サムネイルの双方は、前記第１方向における前記第１位置の隣の第２位置に対応して配置され、前記第１サムネイルと前記第２サムネイルは、前記第２方向に沿って配置され、前記第３サムネイルと前記第４サムネイルは、前記第２方向に沿って配置される。
【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
ディスプレイと、
第１アプリケーションによって第１期間内に作成された第１コンテンツと、前記第１アプリケーションとは異なる第２アプリケーションによって前記第１期間内に作成された第２コンテンツと、前記第１アプリケーションによって前記第１期間に続く第２期間内に作成された第３コンテンツと、前記第２アプリケーションによって前記第２期間内に作成された第４コンテンツとを記憶する記憶媒体にアクセス可能であって、前記第１コンテンツの第１サムネイルと、前記第２コンテンツの第２サムネイルと、前記第３コンテンツの第３サムネイルと、前記第４コンテンツの第４サムネイルとを前記ディスプレイ上に表示する処理手段とを備え、
前記第１アプリケーションは、筆跡を入力するためのアプリケーション、画像を撮影するためのアプリケーション、音声を録音するためのアプリケーション、文書の一部をクリップするためのアプリケーションのいずれかであって、
前記第２アプリケーションは、前記第１アプリケーションと異なるアプリケーションであり、前記筆跡を入力するためのアプリケーション、前記画像を撮影するためのアプリケーション、前記音声を録音するためのアプリケーション、前記文書の一部をクリップするためのアプリケーションのいずれかであって、
前記第１サムネイル、前記第２サムネイル、前記第３サムネイル、および前記第４サムネイルは、互いに直交する第１方向と第２方向へ二次元状に配置され、かつ前記第１方向に時系列順に配置されるものであって、
前記第１サムネイルと前記第２サムネイルの双方は、前記第１方向における第１位置に対応して配置され、
前記第３サムネイルと前記第４サムネイルの双方は、前記第１方向における前記第１位置の隣の第２位置に対応して配置され、
前記第１サムネイルと前記第２サムネイルは、前記第２方向に沿って配置され、
前記第３サムネイルと前記第４サムネイルは、前記第２方向に沿って配置され、
前記第２アプリケーションは、前記第２コンテンツおよび前記第４コンテンツを前記記憶媒体に保存する機能と、前記第１アプリケーションおよび前記第２アプリケーションによって共有される、前記記憶媒体内の所定の記憶領域に、前記第２コンテンツの複製および前記第４コンテンツの複製を保存する機能とを有し、
前記第１アプリケーションは、前記所定の記憶領域に保存された各複製を取得することによって前記第２アプリケーションから前記第２コンテンツと前記第４コンテンツとを取得する機能と、前記第１サムネイル、前記第２サムネイル、前記第３サムネイル、および前記第４サムネイルを二次元状に配置して表示する機能とを有する、電子機器。
【請求項２】
前記第２アプリケーションは前記音声を録音するためのアプリケーションであって、  前記第２サムネイルと、前記第４サムネイルは、音声のメタデータの少なくとも一部と、録音データの種別を示すアイコンとを含む請求項１に記載の電子機器。
【請求項３】
前記記憶媒体は、さらに、前記第２アプリケーションによって前記第１期間内に作成された第５コンテンツと、前記第２アプリケーションによって前記第２期間内に作成された第６コンテンツとを記憶し、
前記処理手段は、前記第２アプリケーションのコンテンツのみを表示するための操作を受信した場合、前記第２サムネイルと、前記第４サムネイルと、前記第５コンテンツの第５サムネイルと、前記第６コンテンツの第６サムネイルとを、二次元状に配置して前記ディスプレイ上に表示するものであって、
前記第２サムネイルと前記第５サムネイルの双方は、前記第１位置に対応して配置され、
前記第４サムネイルと前記第６サムネイルの双方は、前記第２位置に対応して配置され、
前記第２サムネイルと前記第５サムネイルは、前記第２方向に沿って配置され、
前記第４サムネイルと前記第６サムネイルは、前記第２方向に沿って配置される請求項１または請求項２に記載の電子機器。
【請求項４】
前記第１アプリケーションは、前記筆跡を入力するためのアプリケーションであって、  前記第１サムネイルは、前記第１コンテンツに含まれる筆跡の画像であって、
前記第３サムネイルは、前記第３コンテンツに含まれる筆跡の画像である請求項１、請求項２または請求項３のいずれか１項に記載の電子機器。
【請求項５】
前記処理手段は、ユーザの前記ディスプレイ上の操作に応じて、前記第１コンテンツに手書きによりストロークを書き込んで前記第１コンテンツを編集した場合に、前記第１サムネイルを当該編集後の第１コンテンツに含まれる筆跡の画像に変更する請求項１、請求項２、請求項３または請求項４のいずれか１項に記載の電子機器。
【請求項６】
電子機器よって実行される方法であって、
第１アプリケーションによって第１期間内に作成された第１コンテンツと、前記第１アプリケーションとは異なる第２アプリケーションによって前記第１期間内に作成された第２コンテンツと、前記第１アプリケーションによって前記第１期間に続く第２期間内に作成された第３コンテンツと、前記第２アプリケーションによって前記第２期間内に作成された第４コンテンツとを記憶媒体から取得することと、
前記第１コンテンツの第１サムネイルと、前記第２コンテンツの第２サムネイルと、前記第３コンテンツの第３サムネイルと、前記第４コンテンツの第４サムネイルとをディスプレイ上に表示することとを具備し、
前記第１アプリケーションは、筆跡を入力するためのアプリケーション、画像を撮影するためのアプリケーション、音声を録音するためのアプリケーション、文書の一部をクリップするためのアプリケーションのいずれかであって、
前記第２アプリケーションは、前記第１アプリケーションと異なるアプリケーションであり、前記筆跡を入力するためのアプリケーション、前記画像を撮影するためのアプリケーション、前記音声を録音するためのアプリケーション、前記文書の一部をクリップするためのアプリケーションのいずれかであって、
前記第１サムネイル、前記第２サムネイル、前記第３サムネイル、および前記第４サムネイルは、互いに直交する第１方向と第２方向へ二次元状に配置され、かつ前記第１方向に時系列順に配置されるものであって、
前記第１サムネイルと前記第２サムネイルの双方は、前記第１方向における第１位置に対応して配置され、
前記第３サムネイルと前記第４サムネイルの双方は、前記第１方向における前記第１位置の隣の第２位置に対応して配置され、
前記第１サムネイルと前記第２サムネイルは、前記第２方向に沿って配置され、
前記第３サムネイルと前記第４サムネイルは、前記第２方向に沿って配置され、
前記第２アプリケーションは、前記第２コンテンツおよび前記第４コンテンツを前記記憶媒体に保存する機能と、前記第１アプリケーションおよび前記第２アプリケーションによって共有される、前記記憶媒体内の所定の記憶領域に、前記第２コンテンツの複製および前記第４コンテンツの複製を保存する機能とを有し、
前記第１アプリケーションは、前記所定の記憶領域に保存された各複製を取得することによって前記第２アプリケーションから前記第２コンテンツと前記第４コンテンツとを取得する機能と、前記第１サムネイル、前記第２サムネイル、前記第３サムネイル、および前記第４サムネイルを二次元状に配置して表示する機能とを有する、方法。
【請求項７】
前記第２アプリケーションは前記音声を録音するためのアプリケーションであって、  前記第２サムネイルと、前記第４サムネイルは、音声のメタデータの少なくとも一部と、録音データの種別を示すアイコンとを含む請求項６に記載の方法。
【請求項８】
前記記憶媒体が、さらに、前記第２アプリケーションによって前記第１期間内に作成された第５コンテンツと、前記第２アプリケーションによって前記第２期間内に作成された第６コンテンツとを記憶する場合において、前記第２アプリケーションのコンテンツのみを表示するための操作を受信した場合、前記表示することは、前記第２サムネイルと、前記第４サムネイルと、前記第５コンテンツの第５サムネイルと、前記第６コンテンツの第６サムネイルとを、二次元状に配置して前記ディスプレイ上に表示することを含み、
前記第２サムネイルと前記第５サムネイルの双方は、前記第１位置に対応して配置され、
前記第４サムネイルと前記第６サムネイルの双方は、前記第２位置に対応して配置され、
前記第２サムネイルと前記第５サムネイルは、前記第２方向に沿って配置され、
前記第４サムネイルと前記第６サムネイルは、前記第２方向に沿って配置される請求項６または請求項７に記載の方法。
【請求項９】
前記第１アプリケーションは、前記筆跡を入力するためのアプリケーションであって、  前記第１サムネイルは、前記第１コンテンツに含まれる筆跡の画像であって、
前記第３サムネイルは、前記第３コンテンツに含まれる筆跡の画像である請求項６、請求項７または請求項８のいずれか１項に記載の方法。
【請求項１０】
ユーザの前記ディスプレイ上の操作に応じて、前記第１コンテンツに手書きによりストロークを書き込んで前記第１コンテンツが編集された場合に、前記第１サムネイルを、当該編集後の第１コンテンツに含まれる筆跡の画像に変更することをさらに具備する請求項６、請求項７、請求項８または請求項９のいずれか１項に記載の方法。
【請求項１１】
コンピュータによって実行されるプログラムであって、
第１アプリケーションによって第１期間内に作成された第１コンテンツと、前記第１アプリケーションとは異なる第２アプリケーションによって前記第１期間内に作成された第２コンテンツと、前記第１アプリケーションによって前記第１期間に続く第２期間内に作成された第３コンテンツと、前記第２アプリケーションによって前記第２期間内に作成された第４コンテンツとを記憶媒体から取得する手順と、
前記第１コンテンツの第１サムネイルと、前記第２コンテンツの第２サムネイルと、前記第３コンテンツの第３サムネイルと、前記第４コンテンツの第４サムネイルとをディスプレイ上に表示する手順とを、前記コンピュータに実行させ、
前記第１アプリケーションは、筆跡を入力するためのアプリケーション、画像を撮影するためのアプリケーション、音声を録音するためのアプリケーション、文書の一部をクリップするためのアプリケーションのいずれかであって、
前記第２アプリケーションは、前記第１アプリケーションと異なるアプリケーションであり、前記筆跡を入力するためのアプリケーション、前記画像を撮影するためのアプリケーション、前記音声を録音するためのアプリケーション、前記文書の一部をクリップするためのアプリケーションのいずれかであって、
前記第１サムネイル、前記第２サムネイル、前記第３サムネイル、および前記第４サムネイルは、互いに直交する第１方向と第２方向へ二次元状に配置され、かつ前記第１方向に時系列順に配置されるものであって、
前記第１サムネイルと前記第２サムネイルの双方は、前記第１方向における第１位置に対応して配置され、
前記第３サムネイルと前記第４サムネイルの双方は、前記第１方向における前記第１位置の隣の第２位置に対応して配置され、
前記第１サムネイルと前記第２サムネイルは、前記第２方向に沿って配置され、
前記第３サムネイルと前記第４サムネイルは、前記第２方向に沿って配置され、
前記第２アプリケーションは、前記第２コンテンツおよび前記第４コンテンツを前記記憶媒体に保存する機能と、前記第１アプリケーションおよび前記第２アプリケーションによって共有される、前記記憶媒体内の所定の記憶領域に、前記第２コンテンツの複製および前記第４コンテンツの複製を保存する機能とを有し、
前記第１アプリケーションは、前記所定の記憶領域に保存された各複製を取得することによって前記第２アプリケーションから前記第２コンテンツと前記第４コンテンツとを取得する機能と、前記第１サムネイル、前記第２サムネイル、前記第３サムネイル、および前記第４サムネイルを二次元状に配置して表示する機能とを有する、プログラム。
【請求項１２】
前記第２アプリケーションは前記音声を録音するためのアプリケーションであって、  前記第２サムネイルと、前記第４サムネイルは、音声のメタデータの少なくとも一部と、録音データの種別を示すアイコンとを含む請求項１１に記載のプログラム。
【請求項１３】
前記記憶媒体が、さらに、前記第２アプリケーションによって前記第１期間内に作成された第５コンテンツと、前記第２アプリケーションによって前記第２期間内に作成された第６コンテンツとを記憶する場合において、前記第２アプリケーションのコンテンツのみを表示するための操作を受信した場合、前記表示する手順は、前記第２サムネイルと、前記第４サムネイルと、前記第５コンテンツの第５サムネイルと、前記第６コンテンツの第６サムネイルとを、二次元状に配置して前記ディスプレイ上に表示することを含み、
前記第２サムネイルと前記第５サムネイルの双方は、前記第１位置に対応して配置され、
前記第４サムネイルと前記第６サムネイルの双方は、前記第２位置に対応して配置され、
前記第２サムネイルと前記第５サムネイルは、前記第２方向に沿って配置され、
前記第４サムネイルと前記第６サムネイルは、前記第２方向に沿って配置される請求項１１または請求項１２に記載のプログラム。
【請求項１４】
前記第１アプリケーションは、前記筆跡を入力するためのアプリケーションであって、  前記第１サムネイルは、前記第１コンテンツに含まれる筆跡の画像であって、
前記第３サムネイルは、前記第３コンテンツに含まれる筆跡の画像である請求項１１、請求項１２または請求項１３のいずれか１項に記載のプログラム。
【請求項１５】
ユーザの前記ディスプレイ上の操作に応じて、前記第１コンテンツに手書きによりストロークを書き込んで前記第１コンテンツが編集された場合に、前記第１サムネイルを、当該編集後の第１コンテンツに含まれる筆跡の画像に変更する手順を前記コンピュータにさらに実行させる請求項１１、請求項１２、請求項１３または請求項１４のいずれか１項に記載のプログラム。
【手続補正２】
【補正対象書類名】明細書
【補正対象項目名】０００７
【補正方法】変更
【補正の内容】
【０００７】
実施形態によれば、電子機器は、ディスプレイと、処理手段とを具備する。前記処理手段は、第１アプリケーションによって第１期間内に作成された第１コンテンツと、前記第１アプリケーションとは異なる第２アプリケーションによって前記第１期間内に作成された第２コンテンツと、前記第１アプリケーションによって前記第１期間に続く第２期間内に作成された第３コンテンツと、前記第２アプリケーションによって前記第２期間内に作成された第４コンテンツとを記憶する記憶媒体にアクセス可能であって、前記第１コンテンツの第１サムネイルと、前記第２コンテンツの第２サムネイルと、前記第３コンテンツの第３サムネイルと、前記第４コンテンツの第４サムネイルとを前記ディスプレイ上に表示する。前記第１アプリケーションは、筆跡を入力するためのアプリケーション、画像を撮影するためのアプリケーション、音声を録音するためのアプリケーション、文書の一部をクリップするためのアプリケーションのいずれかであって、前記第２アプリケーションは、前記第１アプリケーションと異なるアプリケーションであり、前記筆跡を入力するためのアプリケーション、前記画像を撮影するためのアプリケーション、前記音声を録音するためのアプリケーション、前記文書の一部をクリップするためのアプリケーションのいずれかである。前記第１サムネイル、前記第２サムネイル、前記第３サムネイル、および前記第４サムネイルは、互いに直交する第１方向と第２方向へ二次元状に配置され、かつ前記第１方向に時系列順に配置されるものであって、前記第１サムネイルと前記第２サムネイルの双方は、前記第１方向における第１位置に対応して配置され、前記第３サムネイルと前記第４サムネイルの双方は、前記第１方向における前記第１位置の隣の第２位置に対応して配置され、前記第１サムネイルと前記第２サムネイルは、前記第２方向に沿って配置され、前記第３サムネイルと前記第４サムネイルは、前記第２方向に沿って配置される。前記第２アプリケーションは、前記第２コンテンツおよび前記第４コンテンツを前記記憶媒体に保存する機能と、前記第１アプリケーションおよび前記第２アプリケーションによって共有される、前記記憶媒体内の所定の記憶領域に、前記第２コンテンツの複製および前記第４コンテンツの複製を保存する機能とを有し、前記第１アプリケーションは、前記所定の記憶領域に保存された各複製を取得することによって前記第２アプリケーションから前記第２コンテンツと前記第４コンテンツとを取得する機能と、前記第１サムネイル、前記第２サムネイル、前記第３サムネイル、および前記第４サムネイルを二次元状に配置して表示する機能とを有する。
【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
ディスプレイと、
第１アプリケーションによって第１期間内に作成された第１コンテンツと、前記第１アプリケーションとは異なる第２アプリケーションによって前記第１期間内に作成された第２コンテンツと、前記第１アプリケーションによって前記第１期間に続く第２期間内に作成された第３コンテンツと、前記第２アプリケーションによって前記第２期間内に作成された第４コンテンツとを記憶する記憶媒体にアクセス可能であって、前記第１アプリケーションに基づいて前記第１コンテンツの第１サムネイルと、前記第２コンテンツの第２サムネイルと、前記第３コンテンツの第３サムネイルと、前記第４コンテンツの第４サムネイルとを前記ディスプレイ上に表示する処理手段とを備え、
前記第１アプリケーションは、筆跡を入力するためのアプリケーション、画像を撮影するためのアプリケーション、音声を録音するためのアプリケーション、文書の一部をクリップするためのアプリケーションのいずれかであって、前記第２アプリケーションと連携する機能を有し、
前記第２アプリケーションは、前記第１アプリケーションと異なるアプリケーションであり、前記筆跡を入力するためのアプリケーション、前記画像を撮影するためのアプリケーション、前記音声を録音するためのアプリケーション、前記文書の一部をクリップするためのアプリケーションのいずれかであって、
前記第１サムネイル、前記第２サムネイル、前記第３サムネイル、および前記第４サムネイルは、互いに直交する第１方向と第２方向へ二次元状に配置され、かつ前記第１方向に時系列順に配置されるものであって、
前記第１サムネイルと前記第２サムネイルの双方は、前記第１方向における第１表示領域に対応して配置され、
前記第３サムネイルと前記第４サムネイルの双方は、前記第１方向における前記第１表示領域の隣の第２表示領域に対応して配置され、
前記第１サムネイルと前記第２サムネイルは、前記第２方向に沿って配置され、
前記第３サムネイルと前記第４サムネイルは、前記第２方向に沿って配置され、
前記第２アプリケーションは、前記第２コンテンツおよび前記第４コンテンツを前記記憶媒体内の前記第２アプリケーション用の記憶領域に保存すると共に、前記第１アプリケーションおよび前記第２アプリケーションによって共有される前記記憶媒体内の所定の記憶領域に、前記第２コンテンツの複製および前記第４コンテンツの複製を保存する機能を有し、
前記第１アプリケーションは、前記所定の記憶領域に保存された各複製を取得することによって前記第２アプリケーションによって作成された前記第２コンテンツと前記第４コンテンツとを取得して前記記憶媒体内の前記第１アプリケーション用の記憶領域に保存する機能と、前記第１期間内に前記第１アプリケーションによって作成された前記第１コンテンツの前記第１サムネイルと、前記第１期間内に前記第２アプリケーションによって作成された前記第２コンテンツの前記第２サムネイルとを前記第１表示領域に時系列順に配置して表示し、且つ前記第２期間内に前記第１アプリケーションによって作成された前記第３コンテンツの前記第３サムネイルと、前記第２期間内に前記第２アプリケーションによって作成された前記第４コンテンツの前記第４サムネイルとを前記第２表示領域に時系列順に配置して表示することによって、前記第１サムネイル、前記第２サムネイル、前記第３サムネイル、および前記第４サムネイルを二次元状に配置して表示する機能とを有する、電子機器。
【請求項２】
前記第２アプリケーションは前記音声を録音するためのアプリケーションであって、  前記第２サムネイルと前記第４サムネイルは、録音日を含む音声のメタデータの少なくとも一部と、録音データの種別を示すアイコンとを含み、前記第２サムネイル又は前記第４サムネイルがタップされた場合に前記第２サムネイル又は前記第４サムネイルに対応する音声のメタデータの詳細が表示される請求項１に記載の電子機器。
【請求項３】
前記記憶媒体は、さらに、前記第２アプリケーションによって前記第１期間内に作成された第５コンテンツと、前記第２アプリケーションによって前記第２期間内に作成された第６コンテンツとを記憶し、
前記処理手段は、前記第１アプリケーションのフィルタリング操作から前記第２アプリケーションのコンテンツのみを表示するための操作を受信した場合、前記第２サムネイルと、前記第４サムネイルと、前記第５コンテンツの第５サムネイルと、前記第６コンテンツの第６サムネイルとを、二次元状に配置して前記ディスプレイ上に表示するものであって、
前記第１期間内に作成された前記第２サムネイルと前記第５サムネイルの双方は、前記第１表示領域に対応して配置され、
前記第２期間内に作成された前記第４サムネイルと前記第６サムネイルの双方は、前記第２表示領域に対応して配置され、
前記第２サムネイルと前記第５サムネイルは、前記第１表示領域において前記第２方向に沿って時系列順に配置され、
前記第４サムネイルと前記第６サムネイルは、前記第２表示領域において前記第２方向に沿って時系列順に配置される請求項１に記載の電子機器。
【請求項４】
前記第１アプリケーションは、前記筆跡を入力するためのアプリケーションであって、
前記処理手段は、ユーザの前記ディスプレイ上のタップ操作に応じて選択されたサムネイルに対応するコンテンツをプレビュー画面上に拡大表示し、前記拡大表示されたコンテンツに対しユーザの手書き操作に基づいて手書きストロークを書き込むことで前記コンテンツを編集し、前記選択されたサムネイルを当該編集されたコンテンツに含まれる筆跡の画像に変更する請求項１に記載の電子機器。
【請求項５】
電子機器よって実行される方法であって、
第１アプリケーションによって第１期間内に作成された第１コンテンツと、前記第１アプリケーションとは異なる第２アプリケーションによって前記第１期間内に作成された第２コンテンツと、前記第１アプリケーションによって前記第１期間に続く第２期間内に作成された第３コンテンツと、前記第２アプリケーションによって前記第２期間内に作成された第４コンテンツとを記憶媒体から取得することと、
前記第１アプリケーションに基づいて前記第１コンテンツの第１サムネイルと、前記第２コンテンツの第２サムネイルと、前記第３コンテンツの第３サムネイルと、前記第４コンテンツの第４サムネイルとをディスプレイ上に表示することとを具備し、
前記第１アプリケーションは、筆跡を入力するためのアプリケーション、画像を撮影するためのアプリケーション、音声を録音するためのアプリケーション、文書の一部をクリップするためのアプリケーションのいずれかであって、前記第２アプリケーションと連携する機能を有し、
前記第２アプリケーションは、前記第１アプリケーションと異なるアプリケーションであり、前記筆跡を入力するためのアプリケーション、前記画像を撮影するためのアプリケーション、前記音声を録音するためのアプリケーション、前記文書の一部をクリップするためのアプリケーションのいずれかであって、
前記第１サムネイル、前記第２サムネイル、前記第３サムネイル、および前記第４サムネイルは、互いに直交する第１方向と第２方向へ二次元状に配置され、かつ前記第１方向に時系列順に配置されるものであって、
前記第１サムネイルと前記第２サムネイルの双方は、前記第１方向における第１表示領域に対応して配置され、
前記第３サムネイルと前記第４サムネイルの双方は、前記第１方向における前記第１表示領域の隣の第２表示領域に対応して配置され、
前記第１サムネイルと前記第２サムネイルは、前記第２方向に沿って配置され、
前記第３サムネイルと前記第４サムネイルは、前記第２方向に沿って配置され、
前記第２アプリケーションは、前記第２コンテンツおよび前記第４コンテンツを前記記憶媒体内の前記第２アプリケーション用の記憶領域に保存すると共に、前記第１アプリケーションおよび前記第２アプリケーションによって共有される前記記憶媒体内の所定の記憶領域に、前記第２コンテンツの複製および前記第４コンテンツの複製を保存する機能を有し、
前記第１アプリケーションは、前記所定の記憶領域に保存された各複製を取得することによって前記第２アプリケーションによって作成された前記第２コンテンツと前記第４コンテンツとを取得して前記記憶媒体内の前記第１アプリケーション用の記憶領域に保存する機能と、前記第１期間内に前記第１アプリケーションによって作成された前記第１コンテンツの前記第１サムネイルと、前記第１期間内に前記第２アプリケーションによって作成された前記第２コンテンツの前記第２サムネイルとを前記第１表示領域に時系列順に配置して表示し、且つ前記第２期間内に前記第１アプリケーションによって作成された前記第３コンテンツの前記第３サムネイルと、前記第２期間内に前記第２アプリケーションによって作成された前記第４コンテンツの前記第４サムネイルとを前記第２表示領域に時系列順に配置して表示することによって、前記第１サムネイル、前記第２サムネイル、前記第３サムネイル、および前記第４サムネイルを二次元状に配置して表示する機能とを有する、方法。
【請求項６】
前記第２アプリケーションは前記音声を録音するためのアプリケーションであって、  前記第２サムネイルと前記第４サムネイルは、録音日を含む音声のメタデータの少なくとも一部と、録音データの種別を示すアイコンとを含み、前記第２サムネイル又は前記第４サムネイルがタップされた場合に前記第２サムネイル又は前記第４サムネイルに対応する音声のメタデータの詳細が表示される請求項５に記載の方法。
【請求項７】
前記記憶媒体が、さらに、前記第２アプリケーションによって前記第１期間内に作成された第５コンテンツと、前記第２アプリケーションによって前記第２期間内に作成された第６コンテンツとを記憶する場合において、
前記第１アプリケーションのフィルタリング操作から前記第２アプリケーションのコンテンツのみを表示するための操作を受信した場合、前記表示することは、前記第２サムネイルと、前記第４サムネイルと、前記第５コンテンツの第５サムネイルと、前記第６コンテンツの第６サムネイルとを、二次元状に配置して前記ディスプレイ上に表示することを含み、
前記第１期間内に作成された前記第２サムネイルと前記第５サムネイルの双方は、前記第１表示領域に対応して配置され、
前記第２期間内に作成された前記第４サムネイルと前記第６サムネイルの双方は、前記第２表示領域に対応して配置され、
前記第２サムネイルと前記第５サムネイルは、前記第１表示領域において前記第２方向に沿って時系列順に配置され、
前記第４サムネイルと前記第６サムネイルは、前記第２表示領域において前記第２方向に沿って時系列順に配置される請求項５に記載の方法。
【請求項８】
前記第１アプリケーションは、前記筆跡を入力するためのアプリケーションであって、  ユーザの前記ディスプレイ上のタップ操作に応じて選択されたサムネイルに対応するコンテンツをプレビュー画面上に拡大表示し、
前記拡大表示されたコンテンツに対しユーザの手書き操作に基づいて手書きストロークを書き込むことで前記コンテンツを編集し、前記選択されたサムネイルを当該編集されたコンテンツに含まれる筆跡の画像に変更することをさらに具備する請求項５に記載の方法。
【請求項９】
コンピュータによって実行されるプログラムであって、
第１アプリケーションによって第１期間内に作成された第１コンテンツと、前記第１アプリケーションとは異なる第２アプリケーションによって前記第１期間内に作成された第２コンテンツと、前記第１アプリケーションによって前記第１期間に続く第２期間内に作成された第３コンテンツと、前記第２アプリケーションによって前記第２期間内に作成された第４コンテンツとを記憶媒体から取得する手順と、
前記第１アプリケーションに基づいて前記第１コンテンツの第１サムネイルと、前記第２コンテンツの第２サムネイルと、前記第３コンテンツの第３サムネイルと、前記第４コンテンツの第４サムネイルとをディスプレイ上に表示する手順とを、前記コンピュータに実行させ、
前記第１アプリケーションは、筆跡を入力するためのアプリケーション、画像を撮影するためのアプリケーション、音声を録音するためのアプリケーション、文書の一部をクリップするためのアプリケーションのいずれかであって、前記第２アプリケーションと連携する機能を有し、
前記第２アプリケーションは、前記第１アプリケーションと異なるアプリケーションであり、前記筆跡を入力するためのアプリケーション、前記画像を撮影するためのアプリケーション、前記音声を録音するためのアプリケーション、前記文書の一部をクリップするためのアプリケーションのいずれかであって、
前記第１サムネイル、前記第２サムネイル、前記第３サムネイル、および前記第４サムネイルは、互いに直交する第１方向と第２方向へ二次元状に配置され、かつ前記第１方向に時系列順に配置されるものであって、
前記第１サムネイルと前記第２サムネイルの双方は、前記第１方向における第１表示領域に対応して配置され、
前記第３サムネイルと前記第４サムネイルの双方は、前記第１方向における前記第１表示領域の隣の第２表示領域に対応して配置され、
前記第１サムネイルと前記第２サムネイルは、前記第２方向に沿って配置され、
前記第３サムネイルと前記第４サムネイルは、前記第２方向に沿って配置され、
前記第２アプリケーションは、前記第２コンテンツおよび前記第４コンテンツを前記記憶媒体内の前記第２アプリケーション用の記憶領域に保存すると共に、前記第１アプリケーションおよび前記第２アプリケーションによって共有される前記記憶媒体内の所定の記憶領域に、前記第２コンテンツの複製および前記第４コンテンツの複製を保存する機能を有し、
前記第１アプリケーションは、前記所定の記憶領域に保存された各複製を取得することによって前記第２アプリケーションによって作成された前記第２コンテンツと前記第４コンテンツとを取得して前記記憶媒体内の前記第１アプリケーション用の記憶領域に保存する機能と、前記第１期間内に前記第１アプリケーションによって作成された前記第１コンテンツの前記第１サムネイルと、前記第１期間内に前記第２アプリケーションによって作成された前記第２コンテンツの前記第２サムネイルとを前記第１表示領域に時系列順に配置して表示し、且つ前記第２期間内に前記第１アプリケーションによって作成された前記第３コンテンツの前記第３サムネイルと、前記第２期間内に前記第２アプリケーションによって作成された前記第４コンテンツの前記第４サムネイルとを前記第２表示領域に時系列順に配置して表示することによって、前記第１サムネイル、前記第２サムネイル、前記第３サムネイル、および前記第４サムネイルを二次元状に配置して表示する機能とを有する、プログラム。
【請求項１０】
前記第２アプリケーションは前記音声を録音するためのアプリケーションであって、  前記第２サムネイルと前記第４サムネイルは、録音日を含む音声のメタデータの少なくとも一部と、録音データの種別を示すアイコンとを含み、前記第２サムネイル又は前記第４サムネイルがタップされた場合に前記第２サムネイル又は前記第４サムネイルに対応する音声のメタデータの詳細が表示される請求項９に記載のプログラム。
【請求項１１】
前記記憶媒体が、さらに、前記第２アプリケーションによって前記第１期間内に作成された第５コンテンツと、前記第２アプリケーションによって前記第２期間内に作成された第６コンテンツとを記憶する場合において、
前記第１アプリケーションのフィルタリング操作から前記第２アプリケーションのコンテンツのみを表示するための操作を受信した場合、前記表示する手順は、前記第２サムネイルと、前記第４サムネイルと、前記第５コンテンツの第５サムネイルと、前記第６コンテンツの第６サムネイルとを、二次元状に配置して前記ディスプレイ上に表示することを含み、
前記第１期間内に作成された前記第２サムネイルと前記第５サムネイルの双方は、前記第１表示領域に対応して配置され、
前記第２期間内に作成された前記第４サムネイルと前記第６サムネイルの双方は、前記第２表示領域に対応して配置され、
前記第２サムネイルと前記第５サムネイルは、前記第１表示領域において前記第２方向に沿って時系列順に配置され、
前記第４サムネイルと前記第６サムネイルは、前記第２表示領域において前記第２方向に沿って時系列順に配置される請求項９に記載のプログラム。
【請求項１２】
前記第１アプリケーションは、前記筆跡を入力するためのアプリケーションであって、  ユーザの前記ディスプレイ上のタップ操作に応じて選択されたサムネイルに対応するコンテンツをプレビュー画面上に拡大表示する手順と、
前記拡大表示されたコンテンツに対しユーザの手書き操作に基づいて手書きストロークを書き込むことで前記コンテンツを編集し、前記選択されたサムネイルを当該編集されたコンテンツに含まれる筆跡の画像に変更する手順と
を前記コンピュータにさらに実行させる請求項９に記載のプログラム。
【手続補正２】
【補正対象書類名】明細書
【補正対象項目名】０００７
【補正方法】変更
【補正の内容】
【０００７】
実施形態によれば、電子機器は、ディスプレイと、処理手段とを具備する。前記処理手段は、第１アプリケーションによって第１期間内に作成された第１コンテンツと、前記第１アプリケーションとは異なる第２アプリケーションによって前記第１期間内に作成された第２コンテンツと、前記第１アプリケーションによって前記第１期間に続く第２期間内に作成された第３コンテンツと、前記第２アプリケーションによって前記第２期間内に作成された第４コンテンツとを記憶する記憶媒体にアクセス可能であって、前記第１アプリケーションに基づいて前記第１コンテンツの第１サムネイルと、前記第２コンテンツの第２サムネイルと、前記第３コンテンツの第３サムネイルと、前記第４コンテンツの第４サムネイルとを前記ディスプレイ上に表示する。前記第１アプリケーションは、筆跡を入力するためのアプリケーション、画像を撮影するためのアプリケーション、音声を録音するためのアプリケーション、文書の一部をクリップするためのアプリケーションのいずれかであって、前記第２アプリケーションと連携する機能を有し、前記第２アプリケーションは、前記第１アプリケーションと異なるアプリケーションであり、前記筆跡を入力するためのアプリケーション、前記画像を撮影するためのアプリケーション、前記音声を録音するためのアプリケーション、前記文書の一部をクリップするためのアプリケーションのいずれかである。前記第１サムネイル、前記第２サムネイル、前記第３サムネイル、および前記第４サムネイルは、互いに直交する第１方向と第２方向へ二次元状に配置され、かつ前記第１方向に時系列順に配置されるものであって、前記第１サムネイルと前記第２サムネイルの双方は、前記第１方向における第１表示領域に対応して配置され、前記第３サムネイルと前記第４サムネイルの双方は、前記第１方向における前記第１表示領域の隣の第２表示領域に対応して配置され、前記第１サムネイルと前記第２サムネイルは、前記第２方向に沿って配置され、前記第３サムネイルと前記第４サムネイルは、前記第２方向に沿って配置される。前記第２アプリケーションは、前記第２コンテンツおよび前記第４コンテンツを前記記憶媒体内の前記第２アプリケーション用の記憶領域に保存すると共に、前記第１アプリケーションおよび前記第２アプリケーションによって共有される前記記憶媒体内の所定の記憶領域に、前記第２コンテンツの複製および前記第４コンテンツの複製を保存する機能を有し、前記第１アプリケーションは、前記所定の記憶領域に保存された各複製を取得することによって前記第２アプリケーションによって作成された前記第２コンテンツと前記第４コンテンツとを取得して前記記憶媒体内の前記第１アプリケーション用の記憶領域に保存する機能と、前記第１期間内に前記第１アプリケーションによって作成された前記第１コンテンツの前記第１サムネイルと、前記第１期間内に前記第２アプリケーションによって作成された前記第２コンテンツの前記第２サムネイルとを前記第１表示領域に時系列順に配置して表示し、且つ前記第２期間内に前記第１アプリケーションによって作成された前記第３コンテンツの前記第３サムネイルと、前記第２期間内に前記第２アプリケーションによって作成された前記第４コンテンツの前記第４サムネイルとを前記第２表示領域に時系列順に配置して表示することによって、前記第１サムネイル、前記第２サムネイル、前記第３サムネイル、および前記第４サムネイルを二次元状に配置して表示する機能とを有する。